(57)【要約】【課題】サブフィールド（ＳＦ）駆動と画素ずらしとを組み合わせる場合に、画素が表現可能な階調数の減少を抑制する。【解決手段】画素を介して射出される光が到達する領域が、α個のＳＦを含む第１期間とα個のＳＦを含む第２期間とで異なるよう光路を変更する光路シフト素子と、画素が第１期間において表示すべき第１階調と、第２期間において表示すべき第２階調との差が閾値を上回るか否かを判定する判定部と、複数のＳＦの各々において画素のオン／オフを指定する指定信号を生成する指定信号生成部と、を備え、指定信号は、判定の結果が否定の場合に、第１階調及び第２階調の少なくとも一方に基づく表示階調を第１期間及び第２期間において画素が表示するように画素のオン／オフを指定し、第１階調、第２階調及び表示階調の各々は、２α個のＳＦの各々において画素をオン／オフすることにより表現可能な階調である、ことを特徴とする電気光学装置。【選択図】図１２
2019008025.tif 000002
【特許請求の範囲】
【請求項１】
画素を介して射出される光がα個（αは、１≦αを満たす自然数）のサブフィールドを含む第１の単位期間において到達する領域と、前記光がα個のサブフィールドを含む第２の単位期間において到達する領域とが異なるように前記光の光路を変更する光路シフト素子と、
前記第１の単位期間において前記画素が表示すべき第１階調レベルと、前記第２の単位期間において前記画素が表示すべき第２階調レベルとの差が所定の閾値よりも大きいか否かを判定する判定部と、
複数のサブフィールドの各々において前記画素のオンまたはオフを指定する指定信号を生成する指定信号生成部と、
を備え、
前記指定信号は、
前記判定の結果が否定の場合に、
前記画素が、前記第１階調レベル及び前記第２階調レベルの少なくとも一方に基づく表示階調レベルを前記第１の単位期間及び前記第２の単位期間において表示するように前記画素のオンまたはオフを指定し、
前記第１階調レベル、前記第２階調レベル、及び前記表示階調レベルの各々は、２α個のサブフィールドの各々において前記画素をオンまたはオフすることにより前記画素が表現可能な階調レベルである、
ことを特徴とする電気光学装置。
【請求項２】
前記指定信号は、
前記判定の結果が肯定の場合に、
前記画素が前記第１階調レベルに基づいて定められる第３階調レベルを前記第１の単位期間において表示するように、前記画素のオンまたはオフを指定し、前記画素が前記第２階調レベルに基づいて定められる第４階調レベルを前記第２の単位期間において表示するように、前記画素のオンまたはオフを指定し、
前記第３階調レベル及び前記第４階調レベルの各々は、α個のサブフィールドの各々において前記画素をオンまたはオフすることにより前記画素が表現可能な階調レベルである、
ことを特徴とする請求項１に記載の電気光学装置。
【請求項３】
前記第１階調レベル、前記第２階調レベル、及び前記表示階調レベルはそれぞれＰビット（Ｐは、２≦Ｐを満たす自然数）の階調レベルであり、
前記第３階調レベル及び前記第４階調レベルはそれぞれＱビットの（Ｑは、１≦Ｑ＜Ｐを満たす自然数）の階調レベルであり、
前記指定信号生成部は、
前記判定の結果が肯定の場合に、
α個のサブフィールドにおいてＱビットの階調レベルを前記画素に表示させるときの、α個のサブフィールドの各々における前記画素のオンまたはオフを指定する第１指定情報を用いて前記指定信号を生成し、
前記判定の結果が否定の場合に、
２α個のサブフィールドにおいてＰビットの階調レベルを前記画素に表示させるときの、２α個のサブフィールドの各々における前記画素のオンまたはオフを指定する第２指定情報を用いて前記指定信号を生成する、
ことを特徴とする請求項２に記載の電気光学装置。
【請求項４】
前記第１の階調レベルは第１画像信号により指定され、前記第２の階調レベルは第２画像信号により指定され、
前記第１画像信号及び前記第２画像信号は、前記第１の単位期間及び前記第２の単位期間を含むフレーム期間において前記画素が表示すべき階調レベルを表す映像信号を低解像度化した信号である、
ことを特徴とする請求項１から３のいずれかに記載の電気光学装置。
【請求項５】
複数の画素と、
前記複数の画素の各々を介して射出される光が第１の単位期間において到達する領域と、前記光が第２の単位期間において到達する領域とが異なるように、前記光の光路を変更する光路シフト素子と、
第１エリア及び第２エリアからなる所望画像を表す映像信号に基づき、複数のサブフィールドの各々において前記複数の画素のオンまたはオフを指定する指定信号を生成する制御部と
を備え、
前記映像信号が、前記第１エリアにおいてＰビット（Ｐは、２≦Ｐを満たす自然数）の第１指定階調レベルが表示されることを表し、かつ、前記第２エリアにおいてＰビットの第２指定階調レベルが表示されることを表す場合であって、前記第１指定階調レベルと前記第２指定階調レベルとの差が所定の基準値よりも大きい場合に、
前記複数の画素には、
前記第１の単位期間及び前記第２の単位期間において前記第１指定階調レベルを表示する画素と、
前記第１の単位期間及び前記第２の単位期間において前記第２指定階調レベルを表示する画素と、
前記第１の単位期間においてＱビット（Ｑは、１≦Ｑ＜Ｐを満たす自然数）の第３指定階調レベルを表示し、前記第２の単位期間においてＱビットの第４指定階調レベルを表示する画素と、
が少なくとも含まれる、
ことを特徴とする電気光学装置。
【請求項６】
各々が液晶素子を有する複数の画素と、
前記複数の画素の各々を介して射出される光が第１の単位期間において到達する領域と、前記光が第２の単位期間において到達する領域とが異なるように、前記光の光路を変更する光路シフト素子と、
第１エリア及び第２エリアからなる所望画像を表す映像信号に基づき、複数のサブフィールドの各々において前記複数の画素のオンまたはオフを指定する指定信号を生成する制御部と
を備え、
前記映像信号が、前記第１エリアにおいてＰビット（Ｐは、２≦Ｐを満たす自然数）の第１指定階調レベルが表示されることを表し、かつ、前記第２エリアにおいてＰビットの第２指定階調レベルが表示されることを表す場合であって、前記第１指定階調レベルと前記第２指定階調レベルとの差が所定の基準値よりも大きい場合に、
前記複数の画素は、第１画素、第２画素、及び第３画素を含み、
前記第１画素が有する液晶素子の、前記第１の単位期間及び前記第２の単位期間にわたる透過率の変化は、前記第１画素が前記第１指定階調レベルを表示する際の透過率変化を示し、
前記第２画素が有する液晶素子の、前記第１の単位期間及び前記第２の単位期間にわたる透過率の変化は、前記第２画素が前記第２指定階調レベルを表示する際の透過率変化を示し、
前記第３画素が有する液晶素子の前記第１の単位期間における透過率の変化は、前記第３画素が第３指定階調レベルを表示する際の透過率変化を示し、当該液晶素子の第２の単位期間における透過率の変化は、前記第３画素が第４指定階調レベルを表示する際の透過率変化を示し、
前記第３指定階調レベル及び前記第４指定階調レベルは、それぞれＱビット（Ｑは、１≦Ｑ＜Ｐを満たす自然数）の階調レベルである、
ことを特徴とする電気光学装置。
【請求項７】
請求項１から６のいずれかに記載の電気光学装置を具備する電子機器。
【発明の詳細な説明】
【技術分野】
【０００１】
本発明は、電気光学装置及び電子機器に関する。
【背景技術】
【０００２】
電気光学装置が備える液晶素子の駆動方式として、いわゆるサブフィールド駆動方式が知られている（例えば、特許文献１）。サブフィールド駆動方式では、表示期間を複数のサブフィールドに分割し、各サブフィールドにおいて画素に対してオン電圧またはオフ電圧を印加することで、表示期間において画素が表示する階調レベルを制御する。
また、プロジェクター等の投射型の電気光学装置が備える液晶パネルの解像度を擬似的に高める技術として、いわゆる画素ずらしに関する技術が知られている（例えば、特許文献２）。画素ずらしでは、表示期間を、各々が１または２以上のサブフィールドを含む２以上の単位期間に区分する。そして、画素を介してスクリーン上に投射される光の位置を単位期間ごとに変化させる。これにより、スクリーン上に表示される画像の解像度を、擬似的に向上させることができる。
【先行技術文献】
【特許文献】
【０００３】
【特許文献１】特開２０１５−３１７７８号公報
【特許文献２】特開２０１７−３９２６号公報
【発明の概要】
【発明が解決しようとする課題】
【０００４】
ところで、サブフィールド駆動方式により駆動される電気光学装置において、液晶パネルの解像度を高めるために、画素ずらしに関する技術を適用することが考えられる。しかし、画素ずらしに関する技術が適用される場合、表示期間が有するサブフィールド数よりも少ないサブフィールドからなる単位期間において、画素の階調レベルが制御される。このため、画素ずらしに関する技術が適用される場合、画素ずらしに関する技術が適用されない場合と比較して、画素が表現可能な階調レベル数が減少する。
【０００５】
本発明は上述した事情に鑑みてなされたものであり、サブフィールド駆動方式を用いる電気光学装置に対して画素ずらしに関する技術を適用する場合に、画素が表現可能な階調レベル数の減少を抑制することを、解決課題の一つとする。
【課題を解決するための手段】
【０００６】
以上の課題を解決するために、本発明に係る電気光学装置は、画素を介して射出される光がα個（αは、１≦αを満たす自然数）のサブフィールドを含む第１の単位期間において到達する領域と、光がα個のサブフィールドを含む第２の単位期間において到達する領域とが異なるように光の光路を変更する光路シフト素子と、第１の単位期間において画素が表示すべき第１階調レベルと、第２の単位期間において画素が表示すべき第２階調レベルとの差が所定の閾値よりも大きいか否かを判定する判定部と、複数のサブフィールドの各々において画素のオンまたはオフを指定する指定信号を生成する指定信号生成部と、を備え、指定信号は、判定の結果が否定の場合に、画素が、第１階調レベル及び第２階調レベルの少なくとも一方に基づく表示階調レベルを第１の単位期間及び第２の単位期間において表示するように画素のオンまたはオフを指定し、第１階調レベル、第２階調レベル、及び表示階調レベルの各々は、２α個のサブフィールドの各々において画素をオンまたはオフすることにより画素が表現可能な階調レベルである、ことを特徴とする。
また、本発明に係る電気光学装置は、画素を介して射出される光がα個のサブフィールドを含む第１の単位期間において到達する領域と、光がα個のサブフィールドを含む第２の単位期間において到達する領域とが異なるように光の光路を変更する光路シフト素子と、第１の単位期間において画素が表示すべき第１階調レベルと、第２の単位期間において画素が表示すべき第２階調レベルとの差が所定の閾値よりも大きいか否かを判定する判定部と、複数のサブフィールドの各々において画素のオンまたはオフを指定する指定信号を生成する指定信号生成部と、を備え、指定信号は、判定の結果が否定の場合に、画素が第１階調レベルまたは第２階調レベルを第１の単位期間及び第２の単位期間において表示するように画素のオンまたはオフを指定し、第１階調レベル及び第２階調レベルの各々は、２α個のサブフィールドの各々において画素をオンまたはオフすることにより画素が表現可能な階調レベルである、ことを特徴としてもよい。
【０００７】
本発明では、第１階調レベルと第２階調レベルとの差が所定の閾値以下である場合に、画素は２α個のサブフィールドにより表現可能な階調レベルを表示する。このため、画素がα個のサブフィールドにより表現可能な階調レベルを表示する場合と比較して、画素は高階調の階調レベル（より細かい階調レベル）を表現することができる。すなわち、本発明によれば、画素が表現可能な階調レベル数の減少が抑制される。
【０００８】
上述した電気光学装置において、指定信号は、判定部による判定の結果が肯定の場合に、画素が第１階調レベルに基づいて定められる第３階調レベルを第１の単位期間において表示するように、画素のオンまたはオフを指定し、画素が第２階調レベルに基づいて定められる第４階調レベルを第２の単位期間において表示するように、画素のオンまたはオフを指定し、第３階調レベル及び第４階調レベルの各々は、α個のサブフィールドの各々において画素をオンまたはオフすることにより画素が表現可能な階調レベルである。
この態様によれば、電気光学装置が表示する画像の解像度を擬似的に高めることができる。
【０００９】
上述した電気光学装置において、第１階調レベル及び第２階調レベルはそれぞれＰビット（Ｐは、２≦Ｐを満たす自然数）の階調レベルであり、第３階調レベル及び第４階調レベルはそれぞれＱビットの（Ｑは、１≦Ｑ＜Ｐを満たす自然数）の階調レベルであり、指定信号生成部は、判定部による判定の結果が肯定の場合に、α個のサブフィールドにおいてＱビットの階調レベルを画素に表示させるときの、α個のサブフィールドの各々における画素のオンまたはオフを指定する第１指定情報を用いて指定信号を生成し、判定の結果が否定の場合に、２α個のサブフィールドにおいてＰビットの階調レベルを画素に表示させるときの、２α個のサブフィールドの各々における画素のオンまたはオフを指定する第２指定情報を用いて指定信号を生成してもよい。
この態様によれば、画素が、画素ずらしによる解像度の向上に寄与しない場合にはＰビットの階調レベルを表示するため、解像度を擬似的に向上させることと、表現可能な階調レベル数が減少することを抑制することとを、両立させることができる。
【００１０】
第１の階調レベルは第１画像信号により指定され、第２の階調レベルは第２画像信号により指定され、第１画像信号及び第２画像信号は、第１の単位期間及び第２の単位期間を含むフレーム期間において画素が表示すべき階調レベルを表す映像信号を低解像度化した信号であってもよい。
この態様によれば、第１の階調レベル及び第２の階調レベルが映像信号に基づいて定められる。このため、判定部による判定の結果が否定の場合、画素は映像信号に応じた階調レベルを、低階調化することなく表示することができる。
【００１１】
本発明は、複数の画素と、複数の画素の各々を介して射出される光が第１の単位期間において到達する領域と、光が第２の単位期間において到達する領域とが異なるように、光の光路を変更する光路シフト素子と、第１エリア及び第２エリアからなる所望画像を表す映像信号に基づき、複数のサブフィールドの各々において複数の画素のオンまたはオフを指定する指定信号を生成する制御部とを備え、映像信号が、第１エリアにおいてＰビット（Ｐは、２≦Ｐを満たす自然数）の第１指定階調レベルが表示されることを表し、かつ、第２エリアにおいてＰビットの第２指定階調レベルが表示されることを表す場合であって、第１指定階調レベルと第２指定階調レベルとの差が所定の基準値よりも大きい場合に、複数の画素には、第１の単位期間及び第２の単位期間において第１指定階調レベルを表示する画素と、第１の単位期間及び第２の単位期間において第２指定階調レベルを表示する画素と、第１の単位期間においてＱビット（Ｑは、１≦Ｑ＜Ｐを満たす自然数）の第３指定階調レベルを表示し、第２の単位期間においてＱビットの第４指定階調レベルを表示する画素と、が少なくとも含まれることを特徴とする電気光学装置としても理解され得る。
この態様によれば、映像信号が表すＰビットの階調レベルと、Ｐビットよりも低ビットのＱビットの階調レベルとが表示される。すなわち、画素ずらしによる解像度の向上と、高階調の階調表現との双方が達成され得る。
【００１２】
本発明は、各々が液晶素子を有する複数の画素と、当該複数の画素の各々を介して射出される光が第１の単位期間において到達する領域と、光が第２の単位期間において到達する領域とが異なるように、光の光路を変更する光路シフト素子と、第１エリア及び第２エリアからなる所望画像を表す映像信号に基づき、複数のサブフィールドの各々において複数の画素のオンまたはオフを指定する指定信号を生成する制御部とを備え、映像信号が、第１エリアにおいてＰビット（Ｐは、２≦Ｐを満たす自然数）の第１指定階調レベルが表示されることを表し、かつ、第２エリアにおいてＰビットの第２指定階調レベルが表示されることを表す場合であって、第１指定階調レベルと第２指定階調レベルとの差が所定の基準値よりも大きい場合に、複数の画素は、第１画素、第２画素、及び第３画素を含み、第１画素が有する液晶素子の、第１の単位期間及び第２の単位期間にわたる透過率の変化は、第１画素が第１指定階調レベルを表示する際の透過率変化を示し、第２画素が有する液晶素子の、第１の単位期間及び第２の単位期間にわたる透過率の変化は、第２画素が第２指定階調レベルを表示する際の透過率変化を示し、第３画素が有する液晶素子の第１の単位期間における透過率の変化は、第３画素が第３指定階調レベルを表示する際の透過率変化を示し、当該液晶素子の第２の単位期間における透過率の変化は、第３画素が第４指定階調レベルを表示する際の透過率変化を示し、第３指定階調レベル及び第４指定階調レベルは、それぞれＱビット（Ｑは、１≦Ｑ＜Ｐを満たす自然数）の階調レベルである、ことを特徴とする電気光学装置としても理解され得る。
この態様によれば、映像信号が表すＰビットの階調レベルと、Ｐビットよりも低ビットのＱビットの階調レベルとが表示される。すなわち、画素ずらしによる解像度の向上と、高階調の階調表現との双方が達成され得る。
【００１３】
また、本発明に係る電子機器は、上述した電気光学装置のいずれかを備えることを特徴とする。
【図面の簡単な説明】
【００１４】
【図１】実施形態に係るプロジェクターの光学系の構成例を示す図である。
【図２】プロジェクターの制御系の構成例を示すブロック図である。
【図３】画素回路の回路図である。
【図４】プロジェクターの動作期間を説明するための図である。
【図５】光路シフト素子の動作を説明するための図である。
【図６】画像処理部の構成を示すブロック図である。
【図７】調整後画像の例を示す図である。
【図８】低解像度化処理の過程の例を示す図である。
【図９】低解像度化処理の過程の例を示す図である。
【図１０】第１指定情報を説明するための図である。
【図１１】第２指定情報を説明するための図である。
【図１２】指定信号を生成する処理を説明するためのフローチャートである。
【図１３】エッジ画素及び非エッジ画素が表示する階調レベルを説明するための図である。
【図１４】画像信号ＶLout及び画像信号ＶLinを説明するための図である。
【図１５】所望画像の例を示す図である。
【図１６】プロジェクターが備える単位画素の集合を例示する図である。
【図１７】２α個のサブフィールドにより表現可能な階調レベルが表示される場合の、液晶素子の透過率変化の例を示す図である。
【図１８】２α個のサブフィールドにより表現可能な階調レベルが表示される場合の、液晶素子の透過率変化の例を示す図である。
【図１９】α個のサブフィールドにより表現可能な階調レベルが表示される場合の、液晶素子の透過率変化の例を示す図である。
【図２０】α個のサブフィールドにより表現可能な階調レベルが表示される場合の、液晶素子の透過率変化の例を示す図である。
【図２１】対比例に係る画像処理部の構成を示すブロック図である。
【図２２】対比例においてエッジ画素及び非エッジ画素が表示する階調レベルを説明するための図である。
【図２３】対比例における画像信号ＶLout及び画像信号ＶLinを説明するための図である。
【図２４】変形例に係る低解像度化処理の例を説明するための図である。
【図２５】変形例に係る低解像度化処理の別の例を説明するための図である。
【図２６】変形例に係る低解像度化処理の別の例を説明するための図である。
【図２７】変形例において指定信号を生成する処理を説明するためのフローチャートである。
【発明を実施するための形態】
【００１５】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１６】
１．実施形態
１．１．プロジェクターの構成
図１及び図２を参照して、本発明の実施形態に係るプロジェクター１（「電気光学装置」の一例）の構成例を説明する。
図１は、プロジェクター１の光学系の構成の一例を示す図である。プロジェクター１は、照明装置９０と分離光学系７０と３個の液晶パネル１０Ｒ，１０Ｇ，及び１０Ｂと投射光学系６０とを備える。照明装置９０は白色光源であり、例えばハロゲンランプが用いられる。分離光学系７０は、３個のミラー７１，７２，及び７５、並びに、ダイクロイックミラー７３及び７４を含む。分離光学系７０は、照明装置９０から射出された白色光（可視光）を、赤（以下、Ｒと称する）、緑（以下、Ｇと称する）、青（以下、Ｂと称する）の３原色に分離する。具体的には、ダイクロイックミラー７４は、白色光のうち、Ｒの波長域の光を透過し、Ｇ及びＢの波長域の光を反射する。ダイクロイックミラー７３は、ダイクロイックミラー７４によって反射したＧ及びＢの波長域の光のうち、Ｂの波長域の光を透過し、Ｇの波長域の光を反射する。
【００１７】
以上のようにして分離された、Ｒ，Ｇ，及びＢに対応する光は、それぞれ液晶パネル１０Ｒ，１０Ｇ，及び１０Ｂに導かれる。液晶パネル１０Ｒ、１０Ｇ、及び１０Ｂは、空間光変調器として用いられる。なお、以下では、液晶パネル１０Ｒ，１０Ｇ，及び１０Ｂを総称して、液晶パネル１０と称する場合がある。
【００１８】
投射光学系６０は、ダイクロイックプリズム６１、投射レンズ系６２、及び光路シフト素子１００を含む。ダイクロイックプリズム６１には、液晶パネル１０Ｒ,１０Ｇ,１０Ｂによってそれぞれ変調された光が三方向から入射する。このダイクロイックプリズム６１においてＲ，Ｇ，及びＢの画像が合成され、フルカラーの光が出射される。
ダイクロイックプリズム６１の、光が出射される側には、光路シフト素子１００及び投射レンズ系６２が配置されている。光路シフト素子１００は、入射光を、予め定められた２つの方向のうち、一方から他方へとシフトし、また、他方から一方へとシフトして出射する素子である。投射レンズ系６２は、光路シフト素子１００から射出された光（合成像）を、投射面８０に拡大投射する。
【００１９】
図２は、プロジェクター１の制御系の構成例を示すブロック図である。プロジェクター１は、３つの液晶パネル１０、制御部５０、光路シフト素子駆動部１４、及び光路シフト素子１００を備える。液晶パネル１０は、複数の単位画素Ｐｘ（「画素」の一例）が配列された表示部３０と、各単位画素Ｐｘを駆動する駆動回路２０と、を備える。
【００２０】
図２に示すように、液晶パネル１０の表示部３０には、V方向に延在するＭ本の走査線３２と、V方向に交差するVI方向に延在するＮ本のデータ線３４とが形成される（Ｍ及びＮは自然数）。複数の単位画素Ｐｘは、表示部３０において、走査線３２とデータ線３４との交差点に対応して縦Ｍ行×横Ｎ列に配列される。なお、本実施形態において、単位画素Ｐｘは、Ｍ本の走査線３２及びＮ本のデータ線３４によるＭ×Ｎ個の交差点の全てに配置されるが、これらＭ×Ｎ個の交差のうち一部に配置されるものであっても構わない。液晶パネル１０の解像度は、液晶パネル１０が備える単位画素Ｐｘの数により規定される。
【００２１】
駆動回路２０は、各単位画素Ｐｘが表示する階調レベルを指定するデータ信号ＶＤ[ｎ]（ｎは、１≦ｎ≦Ｎを満たす自然数）を、各単位画素Ｐｘに設けられる画素回路４０に対して供給する回路であり、走査線駆動回路２２とデータ線駆動回路２４とを具備する。
走査線駆動回路２２は、第ｍ行の走査線３２に走査信号Ｙ[ｍ]を供給する（ｍは、１≦ｍ≦Ｍを満たす自然数）。走査線駆動回路２２は、走査信号Ｙ[ｍ]を所定の選択電位に設定することで、第ｍ行の走査線３２を選択する。
データ線駆動回路２４は、走査線駆動回路２２による走査線３２の選択に同期して、第１行〜第Ｎ行のデータ線３４にデータ信号ＶＤ[１]〜ＶＤ[Ｎ］を供給する。換言すると、データ線駆動回路２４は、第ｎ行のデータ線にデータ信号ＶＤ［ｎ］を供給する。
【００２２】
図３は、各単位画素Ｐｘに対応する画素回路４０の回路図である。図３に示すように、各画素回路４０は、液晶素子ＣＬ、選択スイッチＳｗ、及び容量Ｃｏを含む。
液晶素子ＣＬは、画素電極４１、共通電極４２、及び、画素電極４１と共通電極４２との間に設けられた液晶４３を具備する電気光学素子である。液晶素子ＣＬに（つまり、画素電極４１と共通電極４２との間に）電圧が印加されると、当該印加された電圧の大きさに応じて液晶素子ＣＬの相対透過率が変化する。そして、単位画素Ｐｘは、液晶素子ＣＬの相対透過率に応じた階調レベルを表示する。
ここで、液晶素子ＣＬの相対透過率とは、液晶素子ＣＬを透過する光量を示す相対的な値である。本実施形態では、液晶素子ＣＬに電圧が印加されていない状態であって液晶４３が最も光を透過しにくい状態であるときに液晶素子ＣＬを透過する光量を０％とする。また、液晶素子ＣＬに印加し得る最大の電圧を印加した状態であって液晶４３が最も光を透過しやすい状態であるときに液晶素子ＣＬを透過する光量を１００％とする。以下では、液晶素子ＣＬの相対透過率を、単に「透過率」と称する場合がある。
なお、本実施形態では、液晶素子ＣＬが備える液晶４３が、ＶＡ（Vertical Alignment）方式であり、画素電極４１及び共通電極４２の間に電圧が印加されていない状態において単位画素Ｐｘが黒表示（液晶素子ＣＬの相対透過率が０％）となるノーマリーブラックモードである場合を例示して説明する。
【００２３】
共通電極４２は、所定の基準電位に設定されている。容量Ｃｏは、一端が画素電極４１に電気的に接続され、他端が一定の電圧Ｖcomに保たれた容量線３６に電気的に接続される。また、共通電極４２も、容量線３６に電気的に接続される。
選択スイッチＳｗは、例えば、Ｎチャネル型のトランジスターであり、画素電極４１とデータ線３４との間に設けられ、両者の電気的な接続（導通／絶縁）を制御する。具体的には、Ｎチャネル型のトランジスターである選択スイッチＳｗのゲートは走査線３２と電気的に接続される。そして、走査信号Ｙ[ｍ]が選択電位に設定されると、第ｍ行の画素回路４０に設けられた選択スイッチＳｗがオン状態となる。選択スイッチＳｗがオン状態となると、当該画素回路４０にデータ線３４からデータ信号ＶＤ[ｎ]が供給され、液晶素子ＣＬには当該データ信号ＶＤ[ｎ]に応じた電圧が印加される。これにより、当該画素回路４０の液晶素子ＣＬの透過率はデータ信号ＶＤ［ｎ］に応じて変化し、当該画素回路４０に対応する単位画素Ｐｘはデータ信号ＶＤ[ｎ]に応じた階調レベルを表示する。
画素回路４０の液晶素子ＣＬにデータ信号ＶＤ[ｎ]に応じた電圧が印加された後、選択スイッチＳｗがオフ状態となると、画素電極４１における電位は容量Ｃｏにより保持される。すなわち、選択スイッチＳｗがオン状態となった後から、次にオン状態となるまでの期間において、液晶素子ＣＬにはデータ信号ＶＤ［ｎ］に応じた電圧が印加され続ける。
【００２４】
説明を図２に戻す。制御部５０は、画像処理部１１と、タイミング信号生成部１２と、を備える。タイミング信号生成部１２は、上位装置（図示省略）から供給された同期信号に基づいて、駆動回路２０及び画像処理部１１を制御するための制御信号ＣＬＴを生成し、生成した制御信号ＣＬＴを駆動回路２０及び画像処理部１１に供給する。また、タイミング信号生成部１２は、同期信号に基づいて、光路シフト素子１００を制御するための制御信号ＣＬＤを生成する。
画像処理部１１は、プロジェクター１により表示されるべき画像を表す映像信号Ｖｉｎが上位装置から供給されると、当該映像信号Ｖｉｎと、タイミング信号生成部１２から供給される制御信号ＣＬＴとに基づいて、複数のサブフィールド期間ｓｆ（後述）の各々について単位画素Ｐｘのオンまたはオフを指定する指定信号Ｄを生成する。また、画像処理部１１は、映像信号Ｖｉｎに基づいて光路シフト素子１００の駆動の有無を指定する制御信号ＣＬＵを生成し、光路シフト素子駆動部１４に供給する。なお、映像信号Ｖｉｎの詳細は後述される。
光路シフト素子駆動部１４は、タイミング信号生成部１２から供給される制御信号ＣＬＤ及び画像処理部１１から供給される制御信号ＣＬＵに基づいて、光路シフト素子１００を駆動する。
光路シフト素子１００は、光路シフト素子駆動部１４から供給される信号に基づいて駆動される。上述のように、光路シフト素子１００は、当該光路シフト素子１００に入射した光の光路をシフトする。
【００２５】
１．２．プロジェクターの動作の概要
図４は、プロジェクター１の動作期間を説明するための図である。本実施形態において、プロジェクター１の動作期間は、複数のフレーム期間Ｆからなる。フレーム期間Ｆとは、プロジェクター１が画像を表示する場合に、単位画素Ｐｘが当該画像に対応する階調レベルを表示するための期間である。また、フレーム期間Ｆは、単位画素Ｐｘごとに定められるものとする。図４に示すように、本実施形態において、フレーム期間Ｆは互いに等しい時間長を有する単位期間Ｕ１（「第１の単位期間」の一例）及び単位期間Ｕ２（「第２の単位期間」の一例）に区分される。また、本実施形態において、単位期間Ｕ１はフレーム期間Ｆの開始と同時に開始される期間であり、単位期間Ｕ２は単位期間Ｕ１に後続しフレーム期間Ｆと同時に終了する期間であると想定する。なお、以下では、単位期間Ｕ１及び単位期間Ｕ２を、単位期間Ｕと総称する場合がある。
【００２６】
本実施形態において、各単位期間Ｕは、互いに等しい時間長を有するα個（αは、１≦αを満たす自然数）のサブフィールド期間ｓｆに区分される。すなわち、本実施形態において、フレーム期間Ｆは２α個のサブフィールド期間ｓｆを含む。
なお、本実施形態では、説明の便宜上、図４に示すように、αが「４」である場合を例示して説明する。つまり、本実施形態では、１フレーム期間Ｆが８個のサブフィールド期間ｓｆ（ｓｆ１〜ｓｆ８）に区分される場合を例示して説明する。より具体的には、本実施形態において、単位期間Ｕ１は４つのサブフィールド期間ｓｆ１〜ｓｆ４を含み、単位期間Ｕ２は４つのサブフィールド期間ｓｆ５〜ｓｆ８を含む。なお、本実施形態においてはα＝４を想定するが、αは１≦αを満たす自然数であれば任意の数でよい。また、本実施形態ではサブフィールド期間ｓｆが等しい時間長を有する例を説明するが、異なる時間長を有してもよい。
【００２７】
次に、本実施形態におけるサブフィールド駆動について説明する。
データ線駆動回路２４は、単位画素Ｐｘのフレーム期間Ｆに含まれる８個のサブフィールド期間ｓｆの各々において、当該単位画素Ｐｘに対してデータ信号ＶＤ[ｎ]を供給する。本実施形態において、データ信号ＶＤ[ｎ]は、１個のサブフィールド期間ｓｆにおける単位画素Ｐｘのオンまたはオフを指定する信号である。すなわち、データ線駆動回路２４は、各単位画素Ｐｘに対してサブフィールド期間ｓｆごとにデータ信号ＶＤ[ｎ]を供給することで、サブフィールド期間ｓｆごとに各単位画素Ｐｘのオンまたはオフを指定する。
データ線駆動回路２４は、単位画素Ｐｘにオンを指定する場合には、当該単位画素Ｐｘに供給するデータ信号ＶＤ[ｎ]を、当該単位画素Ｐｘが最大階調レベルを表示するような電位（つまり、当該単位画素Ｐｘが備える液晶素子ＣＬの相対透過率が最大となるような電位）に設定する。また、データ線駆動回路２４は、単位画素Ｐｘにオフを指定する場合には、当該単位画素Ｐｘに供給するデータ信号ＶＤ[ｎ]を、当該単位画素Ｐｘが最小階調レベルを表示するような電位（つまり、当該単位画素Ｐｘが備える液晶素子ＣＬの相対透過率が最小となるような電位）に設定する。なお、本実施形態において、データ信号ＶＤ[ｎ]は、単位画素Ｐｘの最大階調レベルを指定する値または最小階調レベルを指定する値に設定されるが、これら以外の中間階調を指定する値に設定されるものであってもよい。また、この場合、データ信号ＶＤ[ｎ]の値は、サブフィールド期間ｓｆごとに異なる可変値であってもよい。
【００２８】
単位画素Ｐｘがある所定の期間において表示する階調レベルは、当該単位画素Ｐｘが備える液晶素子ＣＬの相対透過率の、当該所定の期間にわたる積分値により決定される。具体的に、単位画素Ｐｘが単位期間Ｕにおいて表示する階調レベルは、当該単位期間Ｕに含まれる４個のサブフィールド期間ｓｆのうち単位画素Ｐｘのオンが指定されたサブフィールド期間ｓｆの配置に基づいて決定される。そのため、プロジェクター１は、単位期間Ｕに含まれる４個のサブフィールド期間ｓｆにおいて単位画素Ｐｘのオンが指定されるサブフィールド期間ｓｆの配置を制御することにより、当該単位期間Ｕに単位画素Ｐｘが表示する階調レベルを制御することができる。同様に、単位画素Ｐｘがフレーム期間Ｆにおいて表示する階調レベルは、当該フレーム期間Ｆに含まれる８つのサブフィールド期間ｓｆのうち単位画素Ｐｘのオンが指定されたサブフィールド期間ｓｆの配置に基づいて決定される。プロジェクター１は、フレーム期間Ｆに含まれる８個のサブフィールド期間ｓｆにおいて単位画素Ｐｘのオンが指定されるサブフィールド期間ｓｆの配置を制御することにより、当該フレーム期間Ｆに単位画素Ｐｘが表示する階調レベルを制御することができる。
【００２９】
以上の説明から理解されるように、ある所定の期間に含まれるサブフィールド期間ｓｆにおいて単位画素Ｐｘのオンが指定されるサブフィールド期間ｓｆの配置のパターン数が多いほど、当該所定の期間において表現可能な階調レベルの種類は増加する。また、当該パターン数は、当該所定の期間に含まれるサブフィールド期間ｓｆの数が多いほど増加する。本実施形態では、フレーム期間Ｆは２α個のサブフィールド期間ｓｆを含み、単位期間Ｕはα個のサブフィールド期間ｓｆを含む。したがって、フレーム期間Ｆにおいて単位画素Ｐｘが表現できる階調レベルの種類は、単位期間Ｕにおいて単位画素Ｐｘが表現できる階調レベルの種類よりも多い。
なお、以下では、Ｗ個（Ｗは自然数）のサブフィールド期間ｓｆの各々における単位画素Ｐｘのオンまたはオフを指定することにより表現可能な階調レベルを、「Ｗ個のサブフィールド期間ｓｆにより表現可能な階調レベル」と表現する場合がある。
【００３０】
次に、光路シフト素子１００の動作について図５を参照して説明する。図５は、光路シフト素子１００の動作を説明するための図である。本実施形態に係るプロジェクター１は、光路シフト素子１００を用いて、液晶パネル１０の解像度を擬似的に高めることができる。
上述のように、光路シフト素子１００は、入射光の光路を、予め定められた２つの方向のうちいずれかの方向にシフトして出射する。より具体的には、光路シフト素子１００は、照明装置９０から、複数の単位画素Ｐｘの各々を介して射出される光が単位期間Ｕ１において到達する領域（以下、「単位領域ＵＲA」と称する）と、単位期間Ｕ２において到達する領域（以下、「単位領域ＵＲB」と称する）とが異なるように、光の光路を変更する。結果として、スクリーンなどの投射面８０上では、各単位画素Ｐｘを介して光が投射される領域が単位期間Ｕ１と単位期間Ｕ２とで異なる。なお、以下では、単位領域ＵＲA及び単位領域ＵＲBを単位領域ＵＲと総称する場合がある。
【００３１】
図５に、投射面８０上における単位領域ＵＲA及び単位領域ＵＲBの例を示す。図５の例において、単位領域ＵＲBは、単位領域ＵＲAを投射面８０上で＋ｘ方向及び−ｙ方向に単位画素Ｐｘの１／２個分の距離だけ移動させた領域である。図５から理解されるように、単位領域ＵＲAの一部と単位領域ＵＲBの一部とは相互に重なりあう。なお、本実施形態では単位領域ＵＲAが正方形である例を示すが、例えば長方形等の他の形状でもよい。また、本実施形態では、単位領域ＵＲAを移動させる距離が単位画素Ｐｘの１／２個分の距離である例を示すが、単位画素Ｐｘの１個分の距離未満の距離であれば任意の距離でもよい。
以上に説明したような、光が投射される領域をずらす処理（以下、「画素ずらし処理」と称する）が実行されることにより、見かけ上の画素数が、液晶パネル１０が実際に備える単位画素Ｐｘの数よりも増加する。そのため、プロジェクター１は、投射面８０に投射する画像の解像度を、液晶パネル１０の解像度よりも擬似的に高めることができる。なお、光路シフト素子１００は、機械式の構成を有してもよいし、液晶式の構成を有してもよい。
【００３２】
１．３．プロジェクターの動作の詳細
以下、プロジェクター１の動作の詳細について説明する。
図６は、画像処理部１１の構成例を示すブロック図である。図６に示すように、画像処理部１１は、映像信号Ｖｉｎに基づいて画像信号ＶCを生成する画質調整部５１１と、画像信号ＶCが示す解像度が所定の解像度よりも高いか否かを判別する解像度判別部５１２と、画像信号ＶCを低解像度化して画像信号ＶLA（「第１画像信号」の一例）及び画像信号ＶLB（「第２画像信号」の一例）を生成する解像度変換部５１３と、画像信号ＶLAが指定する階調レベルＬｖ１（「第１階調レベル」の一例）及び画像信号ＶLBが指定する階調レベルＬｖ２（「第２階調レベル」の一例）の差分が所定の閾値ＴＨよりも大きいか否かを判別する判定部５１４と、画像信号ＶLA及び画像信号ＶLBを低階調に変換する階調変換部５１５と、画像信号ＶLinに基づいて指定信号Ｄを生成する指定信号生成部５１６と、ルックアップテーブルＬＴ１及びルックアップテーブルＬＴ２を記憶する記憶部５１７と、を備える。
なお、図６では、説明の便宜上、構成要素間で信号が受け渡される様子を例示する。ただし、構成要素は、生成した信号の示す情報を記憶部５１７に格納し、他の構成要素が必要に応じて当該信号の示す情報を記憶部５１７から読み出すことで、構成要素間で信号の受け渡しを行ってもよい。
【００３３】
画質調整部５１１は、上位装置から映像信号Ｖｉｎが供給されると、当該映像信号Ｖｉｎが表す画像（以下、所望画像Ｍｉｎと称する）の明るさ等の特性を液晶パネル１０の表示特性に応じて調整し、画像信号ＶCを生成する。映像信号Ｖｉｎは、複数の単位画素Ｐｘにより表示されるべき画像を表す信号である。より詳細には、本実施形態において、映像信号Ｖｉｎは、フレーム期間Ｆにおいて各単位画素Ｐｘが表示すべき、Ｐビット（Ｐは、２≦Ｐを満たす自然数）の階調レベルを表すデジタルデータである。本実施形態では、映像信号Ｖｉｎが３ビットの階調レベルを表す場合（Ｐ＝３の場合）を例示して説明する。より具体的に、本実施形態において、映像信号Ｖｉｎは、表示されるべき階調レベルを「０」から「７」までの８段階（つまり３ビット）で表すものとする。なお、以上のビット数（Ｐに代入される数）は一例であり、他の任意の数でもよい。
【００３４】
画像信号ＶCは、映像信号Ｖｉｎと同様に、Ｐビット（本例では３ビット）の階調レベルを表す。より詳細には、画像信号ＶCは、映像信号Ｖｉｎに基づいて生成された画像を示し、当該画像に含まれる画素は、Ｐビットの階調レベルを表す。
以下では、画像信号ＶCが示す画像を調整後画像Ｍｖと称する。また、所望画像Ｍｉｎ及び調整後画像Ｍｖに含まれる画素を所望画素Ｐｖと称し、映像信号Ｖｉｎ及び画像信号ＶCが表す階調レベルを階調レベルＬｖｉｎと称する場合がある。
本実施形態では、調整後画像Ｍｖの解像度が、液晶パネル１０の解像度を上回る場合がある。以下では、調整後画像Ｍｖの解像度が液晶パネル１０の解像度を上回る場合、当該調整後画像Ｍｖを示す画像信号ＶCを画像信号ＶCHと称する。また、調整後画像Ｍｖの解像度が液晶パネル１０の解像度以下の場合、当該調整後画像Ｍｖを示す画像信号ＶCを画像信号ＶCLと称する。
【００３５】
本実施形態において、画像信号ＶCHが示す調整後画像Ｍｖは、液晶パネル１０の解像度の４倍の解像度を有すると想定する。すなわち、本実施形態では、１つの単位画素Ｐｘが、４つの所望画素Ｐｖに対応する場合を想定する。より具体的には、本実施形態では、液晶パネル１０がＭ×Ｎ個の単位画素Ｐｘを有するのに対し、調整後画像Ｍｖは２Ｍ×２Ｎ個の所望画素Ｐｖを有する。つまり、画像信号ＶCHが表す画像（調整後画像Ｍｖ）は２Ｍ×２Ｎ個の所望画素Ｐｖに対応し、画像信号ＶLA（またはＶLB）が表す画像はＭ×Ｎ個の単位画素Ｐｘに対応する。
【００３６】
図７に、調整後画像Ｍｖの例を示す。図７において各所望画素Ｐｖに付記されている数字は、当該所望画素Ｐｖが表す階調レベルＬｖｉｎの例を示す。調整後画像Ｍｖに含まれる所望画素Ｐｖのうち、一の所望画素Ｐｖが表す階調レベルと、当該一の所望画素Ｐｖにｘ方向またはｙ方向において隣接する他の所望画素Ｐｖが表す階調レベルとの差分（絶対値であり、以下、「隣接所望画素Ｐｖ間の階調レベル差」と表現する場合がある）が、所定の基準値ＴＬよりも大きい場合、これら隣り合う一の所望画素Ｐｖ及び他の所望画素Ｐｖを、「境界画素ＰｖK」と称する場合がある。また、調整後画像Ｍｖに含まれる所望画素Ｐｖのうち、境界画素ＰｖK以外の所望画素Ｐｖを、以下では「非境界画素ＰｖH」と称する場合がある。
本実施形態では、所定の基準値ＴＬを「０」と想定する。このため、本実施形態において、階調レベル「７」と階調レベル「１」との階調レベルの差分（「階調レベル差」と表現する）は、所定の基準値ＴＬよりも大きいことになる。よって、本実施形態では、階調レベル「７」を表す一の所望画素Ｐｖと、当該一の所望画素Ｐｖにｘ方向またはｙ方向において隣接する、階調レベル「１」を表す他の所望画素Ｐｖとは境界画素ＰｖKに該当する。図７では、境界画素ＰｖKにハッチングを付している。
【００３７】
なお、本実施形態では、説明の便宜上、図７に示すように、映像信号Ｖｉｎ及び画像信号ＶCの示す階調レベルＬｖｉｎが、２種類の階調レベルからなる場合を例示して説明することがある。以下では、映像信号Ｖｉｎ及び画像信号ＶCの示す２種類の階調レベルを、指定階調レベルＬｖＳ１（「第１指定階調レベル」の一例）及び指定階調レベルＬｖＳ２（「第２指定階調レベル」の一例）と称する場合がある。例えば、図７では、階調レベル「７」が指定階調レベルＬｖＳ１の一例であり、階調レベル「１」が指定階調レベルＬｖＳ２の一例である。
【００３８】
解像度判別部５１２は、例えば画像信号ＶCの周波数に基づき、調整後画像Ｍｖの解像度が、液晶パネル１０の解像度を上回るか否かを判別する。すなわち、解像度判別部５１２は、画像信号ＶCが画像信号ＶCHであるか否かを判別する。
【００３９】
解像度変換部５１３は、画像信号ＶCHに基づき、画像信号ＶLA及び画像信号ＶLBを生成する。より具体的に、解像度変換部５１３は、画像信号ＶCHを低解像度化することにより画像信号ＶLA及び画像信号ＶLBを生成する。以下では、解像度変換部５１３による低解像度化の処理を、低解像度化処理と称する場合がある。
画像信号ＶLAは、単位期間Ｕ１において単位画素Ｐｘが表示すべきＰビットの階調レベルＬｖ１を指定するデータである。画像信号ＶLBは、単位期間Ｕ２において単位画素Ｐｘが表示すべきＰビットの階調レベルＬｖ２を指定するデータである。階調レベルＬｖ１及びＬｖ２は、映像信号Ｖｉｎが表す階調レベルＬｖｉｎに基づいて定められる。
なお、以下では、解像度変換部５１３から出力される画像信号ＶLA及び画像信号ＶLBを、画像信号ＶLoutと総称する場合がある。
【００４０】
図７〜図９を参照して、解像度変換部５１３による低解像度化処理の一例を説明する。図８及び図９は、低解像度化処理の過程を説明するための図である。なお、図７と同様に、図８においてハッチングにて示される所望画素Ｐｖは境界画素ＰｖKを表す。
図７及び図８に示す領域ＡＡ及び領域ＢＢは、それぞれ調整後画像Ｍｖに含まれる領域の例である。図示のように、領域ＡＡ及び領域ＢＢの各々は、縦６行×横６列の３６個の所望画素Ｐｖを含む。図８に示すように、以下において、領域ＡＡに含まれる３６個の所望画素Ｐｖを、Ｐｖａ（ｘ，ｙ）と表記し、領域ＢＢに含まれる３６個の所望画素Ｐｖを、Ｐｖｂ（ｘ，ｙ）と表記する場合がある。また、Ｐｖａ（ｘ，ｙ）及びＰｖｂ（ｘ，ｙ）をＰｖ（ｘ，ｙ）と総称する場合がある。図８において、ｘは１≦ｘ≦６を満たす自然数であり、ｙは１≦ｙ≦６を満たす自然数である。
また、図８において各所望画素Ｐｖに付記されている数字は、当該所望画素Ｐｖが表す階調レベルを示す。例えば、図８に示す例において、所望画素Ｐｖａ（３，４）は階調レベル「７」を表し、所望画素Ｐｖｂ（５，２）は階調レベル「１」を表す。
【００４１】
上述のように、本実施形態において、４個の所望画素Ｐｖは１個の単位画素Ｐｘに対応し、１個の単位画素Ｐｘは単位領域ＵＲA及び単位領域ＵＲBに対応する。したがって、領域ＡＡは９個の単位領域ＵＲAに対応し、領域ＢＢは９個の単位領域ＵＲBに対応する。図８において、領域ＡＡに対応する縦３行×横３列の９個の単位領域ＵＲAを太い実線で示し、領域ＢＢに対応する縦３行×横３列の９個の単位領域ＵＲBを太い破線で示す。
【００４２】
図９は、領域ＡＡの９個の単位領域ＵＲA及び領域ＢＢの９個の単位領域ＵＲBに対応する９個の単位画素Ｐｘが、単位期間Ｕ１において表示すべき階調レベルＬｖ１と、単位期間Ｕ２において表示すべき階調レベルＬｖ２との例を示す図である。図９に示すように、以下において、９個の単位画素Ｐｘを、Ｐｘ（ｘ，ｙ）と表記する場合がある。図９においては、ｘは１≦ｘ≦３を満たす自然数であり、ｙは１≦ｙ≦３を満たす自然数であるとする。
図９において各単位画素Ｐｘに付記されている数字は、当該単位画素Ｐｘが各単位期間Ｕにおいて表示すべき階調レベルを示す。単位期間Ｕ１において単位画素Ｐｘが表示すべき階調レベルは、当該単位画素Ｐｘについて生成された画像信号ＶLAが指定するＰビットの階調レベルＬｖ１である。また、単位期間Ｕ２において単位画素Ｐｘが表示すべき階調レベルは、当該単位画素Ｐｘについて生成された画像信号ＶLBが指定するＰビットの階調レベルＬｖ２である。なお、図９において示す階調レベルは例示であり、他の任意の階調レベルでもよい。
【００４３】
図９に示す各単位画素Ｐｘに対応する画像信号ＶLAが指定する階調レベルは、当該単位画素Ｐｘに対応する単位領域ＵＲAの４個の所望画素Ｐｖが表す４つの階調レベルに基づいて定められる。また、図９に示す各単位画素Ｐｘに対応する画像信号ＶLBが指定する階調レベルは、当該単位画素Ｐｘに対応する単位領域ＵＲBの４個の所望画素Ｐｖが表す４つの階調レベルに基づいて定められる。すなわち、図９では、単位領域ＵＲAの４個の所望画素Ｐｖが表す４つの階調レベルに基づいて、画像信号ＶLAが指定する１つの階調レベルＬｖ１が定められ、単位領域ＵＲBの４個の所望画素Ｐｖが表す４つの階調レベルに基づいて、画像信号ＶLBが指定する１つの階調レベルＬｖ２が定められる。すなわち、画像信号ＶLA及び画像信号ＶLBは、画像信号ＶCHの解像度を１／４に低下させた信号である。
【００４４】
本実施形態では、単位領域ＵＲAの４個の所望画素Ｐｖが表す４つの階調レベルのうち１つの階調レベルに着目し、当該階調レベルを、当該４個の所望画素Ｐｖに対応する１個の単位画素Ｐｘの画像信号ＶLAが指定する階調レベルとして採用する。同様に、単位領域ＵＲBの４個の所望画素Ｐｖが表す４つの階調レベルのうち１つの階調レベルに着目し、当該階調レベルを、当該４個の所望画素Ｐｖに対応する１個の単位画素Ｐｘの画像信号ＶLBが指定する階調レベルとして採用する。
すなわち、本実施形態に係る低解像度化処理では、映像信号Ｖｉｎ及び画像信号ＶCの示す階調レベルＬｖｉｎが、Ｐビットの指定階調レベルＬｖＳ１（例えば「７」）及びＰビットの指定階調レベルＬｖＳ２（例えば「１」）のいずれかである場合に、低解像度化処理により生成される画像信号ＶLA及び画像信号ＶLBの示す階調レベルも、Ｐビットの指定階調レベルＬｖＳ１及びＰビットの指定階調レベルＬｖＳ２のいずれかとなる場合を、一例として想定する。
【００４５】
本実施形態では、一例として、単位領域ＵＲに対応する４個の所望画素Ｐｖのうち、ｘの値が最も小さく、かつ、ｙの値が最も大きい座標に対応する所望画素Ｐｖの階調レベルが、当該単位領域ＵＲに対応する画像信号（ＶLAまたはＶLB）の階調レベルとして採用される場合を想定する。
例えば、図８において、所望画素Ｐｖａ（３，４）、所望画素Ｐｖａ（４，４）、所望画素Ｐｖａ（３，３）、及び所望画素Ｐｖａ（４，３）に対応する単位領域ＵＲA（単位領域ＵＲAｘと称する）に着目する。単位領域ＵＲAｘは、図９においては単位画素Ｐｘ（２，２）に対応する。単位領域ＵＲAｘに対応する４個の所望画素Ｐｖのうち、ｘの値が最も小さく、かつ、ｙの値が最も大きい座標に対応する所望画素Ｐｖは、所望画素Ｐｖａ（３，４）である。そのため、単位領域ＵＲAｘに対応する４つの所望画素Ｐｖが表す４つの階調レベルのうち、所望画素Ｐｖａ（３，４）が表す階調レベル「７」が、図９の単位画素Ｐｘ（２，２）の画像信号ＶLAの階調レベルとして採用される。
【００４６】
図９に示すように、各単位画素Ｐｘに対応する画像信号ＶLA及び画像信号ＶLBは、異なる階調レベルを指定する場合がある。例えば、以上に例示して説明した単位画素Ｐｘ（２，２）に対応する画像信号ＶLAが階調レベル「７」を指定するのに対し、単位画素Ｐｘ（２，２）に対応する画像信号ＶLBは階調レベル「１」を指定する。一方で、各単位画素Ｐｘに対応する画像信号ＶLA及び画像信号ＶLBが、同じ階調レベルを指定する場合もある。例えば、単位画素Ｐｘ（１，３）に対応する画像信号ＶLA及び画像信号ＶLBは、共に階調レベル「７」を指定する。また、単位画素Ｐｘ（３，１）に対応する画像信号ＶLA及び画像信号ＶLBは、共に階調レベル「１」を指定する。
【００４７】
以上に説明したような低解像度化処理により、解像度変換部５１３は、画像信号ＶCHに基づき、液晶パネル１０の解像度に整合した解像度を有する画像信号ＶLA及び画像信号ＶLBを生成する。
【００４８】
判定部５１４は、画像信号ＶLAが指定する階調レベルＬｖ１と画像信号ＶLBが指定する階調レベルＬｖ２との差分（絶対値）が所定の閾値ＴＨよりも大きいか否かを判定する。本実施形態では、閾値ＴＨが「０」（ゼロ）である場合の例を説明する。すなわち、本実施形態において、判定部５１４は、階調レベルＬｖ１と階調レベルＬｖ２とが異なるか否かを判定する。
なお、以下では、判定部５１４の判定の結果が肯定の場合の、当該判定に係る画像信号ＶLA及び画像信号ＶLBに対応する単位画素Ｐｘを、エッジ画素ＰｘKと称し、判定の結果が否定の場合の、当該判定に係る画像信号ＶLA及び画像信号ＶLBに対応する単位画素Ｐｘを、非エッジ画素ＰｘHと称する。
【００４９】
図９において、エッジ画素ＰｘKに対応する単位画素Ｐｘをハッチングにて示す。例えば、「７」を指定する画像信号ＶLAと、「１」を指定する画像信号ＶLBとに対応する単位画素Ｐｘは、エッジ画素ＰｘKに該当する。図９を参照して説明した単位画素Ｐｘ（２，２）は、エッジ画素ＰｘKである。また、「７」を指定する画像信号ＶLAと「７」を指定する画像信号ＶLBとに対応する単位画素Ｐｘは、非エッジ画素ＰｘHに該当する。また、「１」を指定する画像信号ＶLAと「１」を指定する画像信号ＶLBとに対応する単位画素Ｐｘは、非エッジ画素ＰｘHに該当する。例えば、図９の単位画素Ｐｘ（１，３）及び単位画素Ｐｘ（３，１）は非エッジ画素ＰｘHである。
図８及び図９から理解されるように、本実施形態において、４つの非境界画素ＰｖHに対応する単位画素Ｐｘは、非エッジ画素ＰｘHである。また、境界画素ＰｖKを含む４つの所望画素Ｐｖに対応する単位画素Ｐｘは、エッジ画素ＰｘKである場合がある。
【００５０】
階調変換部５１５は、画像信号ＶLAを当該画像信号ＶLAよりも低階調の画像信号ＶLaに変換（低階調化）し、画像信号ＶLBを当該画像信号ＶLBよりも低階調の画像信号ＶLbに変換する。具体的には、階調変換部５１５は、Ｐビット（本例では３ビット）の階調レベルＬｖ１を指定する画像信号ＶLAに基づき、Ｑビット（Ｑは、１≦Ｑ＜Ｐを満たす自然数）の階調レベルＬｖ３（「第３階調レベル」の一例）を指定する画像信号ＶLaを生成する。階調レベルＬｖ３は、階調レベルＬｖ１に基づいて定められる、階調レベルＬｖ１よりも低階調の階調レベルである。例えば、Ｑビットの階調レベルのうち、階調レベルＬｖ１に最も近い階調を表す階調レベルが、階調レベルＬｖ３として定められてもよい。
同様に、階調変換部５１５は、Ｐビットの階調レベルＬｖ２を指定する画像信号ＶLBに基づき、Ｑビットの階調レベルＬｖ４（「第４階調レベル」の一例）を指定する画像信号ＶLbを生成する。階調レベルＬｖ４は、階調レベルＬｖ２に基づいて定められる、階調レベルＬｖ２よりも低階調の階調レベルである。例えば、Ｑビットの階調レベルのうち、階調レベルＬｖ２に最も近い階調を表す階調レベルが、階調レベルＬｖ４として定められてもよい。
なお、本実施形態では、階調レベルＬｖ３及び階調レベルＬｖ４が、２ビットの階調レベルである場合（Ｑ＝２の場合）を例示して説明する。しかし、以上のビット数（Ｑに代入される数）は一例であり、１≦Ｑ＜Ｐを満たす任意の自然数でよい。
【００５１】
また、以下では、指定階調レベルＬｖＳ１をＱビットに低階調化した階調レベルを、指定階調レベルＬｖＳ３（「第３指定階調レベル」の一例）と称し、指定階調レベルＬｖＳ２をＱビットに低階調化した階調レベルを、指定階調レベルＬｖＳ４（「第４指定階調レベル」の一例）と称する。
【００５２】
本実施形態において、Ｑビット（２ビット）の階調レベルは、「０」、「２」、「４」、及び「６」の４種類の階調レベルを含むものとする。また、本実施形態において、階調変換部５１５は、Ｐビット（３ビット）の階調レベルのうち、階調レベル「０」及び「１」をＱビット（２ビット）の階調レベル「０」と変換し、Ｐビットの階調レベル「２」及び「３」をＱビットの階調レベル「２」に変換し、Ｐビットの階調レベル「４」及び「５」をＱビットの階調レベル「４」に変換し、Ｐビットの階調レベル「６」及び「７」をＱビットの階調レベル「６」に変換するものとする。
【００５３】
なお、本実施形態において、Ｐビット（３ビット）の階調レベルは、２α個（８個）のサブフィールド期間ｓｆにより表現可能であるとする。また、Ｑビット（３ビット）の階調レベルは、α個（４個）のサブフィールド期間ｓｆにより表現可能であるとする。
【００５４】
記憶部５１７は、第１指定情報ＩＦ１を記憶するルックアップテーブルＬＴ１と、第２指定情報ＩＦ２を記憶するルックアップテーブルＬＴ２と、を記憶する。なお、以下では、ルックアップテーブルＬＴ１及びルックアップテーブルＬＴ２をルックアップテーブルＬＴと総称する場合がある。また、第１指定情報ＩＦ１及び第２指定情報ＩＦ２を、指定情報ＩＦと総称する場合がある。
【００５５】
図１０は、第１指定情報ＩＦ１を説明するための図である。第１指定情報ＩＦ１は、α個のサブフィールド期間ｓｆにおいてＱビットの階調レベルを単位画素Ｐｘに表示させるときの、α個のサブフィールド期間ｓｆの各々における単位画素Ｐｘのオンまたはオフを指定する情報である。本実施形態に係る第１指定情報ＩＦ１は、Ｑビットの階調レベルと、Ｑビットの階調レベルと１対１に対応付けられた、２のＱ乗個のサブフィールドコード（ＳＦコード）Ｃｄｓと、の集合を指す。ＳＦコードＣｄｓは、α個のサブフィールド期間ｓｆにおいて単位画素Ｐｘのオンが指定されるサブフィールド期間ｓｆの配置のパターンを示す情報である。
上述の通り、本実施形態では、αは「４」であり、Ｑは「２」である場合を想定する。すなわち、本実施形態に係る第１指定情報ＩＦ１は、４種類の階調レベルと、これら４種類の階調レベルと１対１に対応する４個のＳＦコードＣｄｓとを含む。図１０に例示すように、ＳＦコードＣｄｓ［ｋ］（ｋは、０≦ｋ≦３を満たす自然数）は、α個の指定値ｃｊ（図１０において、ｊは、１≦ｊ≦αを満たす自然数）を含む。指定値ｃｊは、α個（４個）のサブフィールド期間ｓｆのうち、ｊ番目のサブフィールド期間ｓｆにおいて単位画素Ｐｘのオンまたはオフを指定する値である。
【００５６】
図１１は、第２指定情報ＩＦ２を説明するための図である。第２指定情報ＩＦ２は、２α個のサブフィールド期間ｓｆにおいてＰビットの階調レベルを単位画素Ｐｘに表示させるときの、２α個のサブフィールドの各々における単位画素Ｐｘのオンまたはオフを指定する情報である。本実施形態に係る第２指定情報ＩＦ２は、Ｐビットの階調レベルと、Ｐビットの階調レベルと１対１に対応付けられた、２のＰ乗個のＳＦコードＣｄｌと、の集合を指す。ＳＦコードＣｄｌは、２α個のサブフィールド期間ｓｆにおいて単位画素Ｐｘのオンが指定されるサブフィールド期間ｓｆの配置のパターンを示す情報である。
本実施形態では、αは「４」であり、Ｐは「３」である場合を想定する。また、上述のように、本実施形態において、Ｐビット（３ビット）の階調レベルは、「０」から「７」の８種類の階調レベルを含むものとする。すなわち、本実施形態に係る第２指定情報ＩＦ２は、８種類の階調レベルと、これら８種類の階調レベルと１対１に対応する８個のＳＦコードＣｄｌとを含む。図１１に例示するように、ＳＦコードＣｄｌ［ｇ］（ｇは、０≦ｇ≦７を満たす自然数）は、２α個の指定値ｃｊ（図１１において、ｊは、１≦ｊ≦２αを満たす自然数）を含む。指定値ｃｊは、２α個（８個）のサブフィールド期間ｓｆのうち、ｊ番目のサブフィールド期間ｓｆにおいて単位画素Ｐｘのオンまたはオフを指定する値である。
なお、以下では、ＳＦコードＣｄｓ及びＳＦコードＣｄｌをＳＦコードＣｄと総称する場合がある。
【００５７】
指定信号生成部５１６は、画像信号ＶCL、ＶLA、ＶLa、またはＶLb、及び、ルックアップテーブルＬＴに記憶された指定情報ＩＦに基づいて指定信号Ｄを生成する。なお、以下では、指定信号生成部５１６に入力される画像信号（すなわち、指定信号Ｄの生成に用いられる信号）を、画像信号ＶLinと総称する場合がある。
【００５８】
具体的に、単位画素ＰｘにＱビット（２ビット）の階調レベルを表示させる場合、指定信号生成部５１６は、ルックアップテーブルＬＴ１を参照し、表示すべき階調レベルに対応するＳＦコードＣｄｓに基づいて、α個（４個）のサブフィールド期間ｓｆの各々において当該単位画素Ｐｘのオンまたはオフを指定する指定信号Ｄを生成する。また、指定信号生成部５１６は、単位画素ＰｘにＰビット（３ビット）の階調レベルを表示させる場合、ルックアップテーブルＬＴ２を参照し、表示すべき階調レベルに対応するＳＦコードＣｄｌに基づいて、２α個（８個）のサブフィールド期間ｓｆの各々において当該単位画素Ｐｘのオンまたはオフを指定する指定信号Ｄを生成する。
【００５９】
ここで、単位期間Ｕにおいて単位画素Ｐｘに例えば階調レベル「４」を表示させる場合の指定信号生成部５１６の処理を説明する。指定信号生成部５１６は、図１０に示すルックアップテーブルＬＴ１から、階調レベル「４」に対応するＳＦコードＣｄｓ［２］を取得する。ＳＦコードＣｄｓ［２］は、４つのサブフィールド期間ｓｆのうち、１番目及び４番目のサブフィールド期間ｓｆにおいて単位画素Ｐｘをオフすることを指定する指定値ｃ１及びｃ４と、２番目及び３番目のサブフィールド期間ｓｆにおいて単位画素Ｐｘをオンすることを指定する指定値ｃ２及びｃ３とを含む。指定信号生成部５１６は、ＳＦコードＣｄｓ［２］に基づき、１番目及び４番目のサブフィールド期間ｓｆにおいて単位画素Ｐｘに最小階調レベルを指定し、２番目及び３番目のサブフィールド期間ｓｆにおいて単位画素Ｐｘに最大階調レベルを指定するような指定信号Ｄを生成する。
【００６０】
次に、図１２を参照して、画像処理部１１における処理の流れを説明する。
画質調整部５１１は、入力された映像信号Ｖｉｎに基づき、調整後画像Ｍｖを表す画像信号ＶCを生成する（S1）。解像度判別部５１２は、調整後画像Ｍｖの解像度が液晶パネル１０の解像度を上回るか否かを判別する（S2）。調整後画像Ｍｖの解像度が液晶パネル１０の解像度以下である場合（S2:NO）、画素ずらし処理は必要ない。そのため、調整後画像Ｍｖの解像度が液晶パネル１０の解像度以下である場合、解像度判別部５１２は光路シフト素子１００を駆動しない旨を指定する制御信号ＣＬＵを光路シフト素子駆動部１４に供給して、光路シフト素子１００の駆動を停止する（S7）。そして、指定信号生成部５１６は、画像信号ＶCLとルックアップテーブルＬＴ２に記憶された指定情報ＩＦ２とに基づいて、指定信号Ｄを生成する（S8）。この場合の指定信号Ｄは、フレーム期間Ｆにおいて、画像信号ＶCLが指定するＰビットの階調レベルＬｖｉｎを単位画素Ｐｘに表示させる信号である。
【００６１】
調整後画像Ｍｖの解像度が液晶パネル１０の解像度を上回る場合（S2:YES）、解像度変換部５１３は、画像信号ＶCHに基づき、画像信号ＶLA及び画像信号ＶLBを生成する（S3）。そして、判定部５１４は、画像信号ＶLAが指定する階調レベルＬｖ１と画像信号ＶLBが指定する階調レベルＬｖ２との差が、閾値ＴＨよりも大きいか否かを判定する（S4）。階調レベルＬｖ１と階調レベルＬｖ２との差が閾値ＴＨ以下である場合（すなわち、画像信号ＶLA及び画像信号ＶLBに対応する単位画素Ｐｘが非エッジ画素ＰｘHである場合）（S4:NO）、指定信号生成部５１６は、画像信号ＶLAとルックアップテーブルＬＴ２に記憶された指定情報ＩＦ２とに基づいて、指定信号Ｄを生成する（S9）。この場合の指定信号Ｄは、フレーム期間Ｆにおいて、画像信号ＶLAが指定するＰビットの階調レベルＬｖ１を単位画素Ｐｘに表示させる信号である。
【００６２】
なお、本実施形態では、ステップS9において、指定信号生成部５１６が画像信号ＶLAとルックアップテーブルＬＴ２に記憶された指定情報ＩＦ２とに基づいて指定信号Ｄを生成する場合を例示して説明する。しかし、指定信号生成部５１６は、画像信号ＶLAに代えて画像信号ＶLBに基づいて指定信号Ｄを生成してもよい。すなわち、ステップS9において、指定信号生成部５１６は、画像信号ＶLBとルックアップテーブルＬＴ２に記憶された指定情報ＩＦ２とに基づいて指定信号Ｄを生成してもよい。
【００６３】
ステップS4において、階調レベルＬｖ１と階調レベルＬｖ２との差が閾値ＴＨよりも大きい場合（すなわち、画像信号ＶLA及び画像信号ＶLBに対応する単位画素Ｐｘがエッジ画素ＰｘKである場合）（S4:YES）、階調変換部５１５は、画像信号ＶLAに基づき画像信号ＶLaを生成し、画像信号ＶLBに基づき画像信号ＶLbを生成する（S5）。そして、指定信号生成部５１６は、制御信号ＣＬＴに基づいて、生成すべき指定信号Ｄが、単位期間Ｕ１において液晶パネル１０に供給される信号であるか否かを判定する（S6）。
ステップS6における判定の結果が肯定の場合（すなわち、生成すべき指定信号Ｄが、単位期間Ｕ１に対応する場合）（S6:YES）、指定信号生成部５１６は、画像信号ＶLaとルックアップテーブルＬＴ１に記憶された指定情報ＩＦ１とに基づいて、指定信号Ｄを生成する（S10）。この場合の指定信号Ｄは、単位期間Ｕ１において、画像信号ＶLaが指定するＱビットの階調レベルＬｖ３を単位画素Ｐｘに表示させる信号である。
ステップS6における判定の結果が否定の場合（生成すべき指定信号Ｄが、単位期間Ｕ１に対応しない場合、すなわち、生成すべき指定信号Ｄが、単位期間Ｕ２に対応する場合）（S6:NO）、指定信号生成部５１６は、画像信号ＶLbとルックアップテーブルＬＴ１に記憶された指定情報ＩＦ１とに基づいて、指定信号Ｄを生成する（S11）。この場合の指定信号Ｄは、単位期間Ｕ２において、画像信号ＶLbが指定するＱビットの階調レベルＬｖ４を単位画素Ｐｘに表示させる信号である。
【００６４】
複数の単位画素Ｐｘの各々について以上のように生成された指定信号Ｄが、データ線駆動回路２４に供給されると、データ線駆動回路２４は供給された指定信号Ｄに基づいてサブフィールド期間ｓｆごとにデータ信号ＶＤ［１］〜ＶＤ［Ｎ］を生成し、単位画素Ｐｘに供給する。このようにして各単位画素Ｐｘの各サブフィールド期間ｓｆにおけるオンまたはオフが制御され、結果として、各単位画素Ｐｘは指定信号Ｄに応じた階調レベルを表示する。
【００６５】
以上の説明から理解されるように、本実施形態に係るプロジェクター１では、調整後画像Ｍｖの解像度が液晶パネル１０の解像度を上回る場合において、エッジ画素ＰｘK（ステップS4での判定の結果が肯定）に対しては、α個のサブフィールド期間ｓｆにおいてＱビットの階調レベルを表示させる指定信号Ｄが生成される。これに対し、非エッジ画素ＰｘH（ステップS4での判定の結果が否定）に対しては、２α個のサブフィールド期間ｓｆにおいてＰビットの階調レベルを表示させる指定信号Ｄが生成される。
【００６６】
図１３は、エッジ画素ＰｘK及び非エッジ画素ＰｘHが表示する階調レベルを説明するための図である。図１３に示すように、エッジ画素ＰｘKは、単位期間Ｕ１において、図１２のステップS10で生成された指定信号Ｄに応じた階調レベルＬｖ３を表示し、単位期間Ｕ２において、図１２のステップS11で生成された指定信号Ｄに応じた階調レベルＬｖ４を表示する。また、図１３に示すように、非エッジ画素ＰｘHは、フレーム期間Ｆにおいて（すなわち、単位期間Ｕ１及び単位期間Ｕ２にまたがって）、図１２のステップS9で生成された指定信号Ｄに応じた階調レベルＬｖ１を表示する。なお、ステップS9で画像信号ＶLBに基づいて指定信号Ｄを生成する場合、非エッジ画素ＰｘHは、フレーム期間Ｆにおいて、画像信号ＶLBに応じた階調レベルＬｖ２を表示する。
【００６７】
次に、図１４を参照して、エッジ画素ＰｘK及び非エッジ画素ＰｘHに対応する画像信号ＶLout及び画像信号ＶLinについて説明する。
図１４は、画像信号ＶCが画像信号ＶCHである場合に、図７に示す領域ＡＡに含まれる３６個の所望画素Ｐｖの示す階調レベルに基づいて生成された、９個の単位画素Ｐｘに対応する９個の画像信号ＶLA（以下、信号群Ｇｔ１と称する場合がある）と、当該９個の画像信号ＶLAに対応して指定信号生成部５１６に入力される、９個の画像信号ＶLin（以下、信号群Ｇｉ１と称する場合がある）と、図７に示す領域ＢＢに含まれる３６個の所望画素Ｐｖの示す階調レベルに基づいて生成された、９個の単位画素Ｐｘに対応する９個の画像信号ＶLB（以下、信号群Ｇｔ２と称する場合がある）と、当該９個の画像信号ＶLBに対応して指定信号生成部５１６に入力される、９個の画像信号ＶLin（以下、信号群Ｇｉ２と称する場合がある）と、の関係を示す説明図である。
なお、図１４においても、図７〜図９と同様に、映像信号Ｖｉｎ及び画像信号ＶCの示す階調レベルＬｖｉｎが、指定階調レベルＬｖＳ１（例えば「７」）または指定階調レベルＬｖＳ２（例えば「１」）であり、画像信号ＶLA及び画像信号ＶLBの示す階調レベルも、指定階調レベルＬｖＳ１または指定階調レベルＬｖＳ２である場合を想定する。
【００６８】
上述の通り、本実施形態では、所定の閾値ＴＨが「０」である。このため、画像信号ＶLAの指定する階調レベルＬｖ１が指定階調レベルＬｖＳ１であり、画像信号ＶLBの指定する階調レベルＬｖ２が指定階調レベルＬｖＳ１である単位画素Ｐｘは、非エッジ画素ＰｘHである。そして、当該非エッジ画素ＰｘHに関して、画像信号ＶLAに対応して指定信号生成部５１６に入力される画像信号ＶLinは、指定階調レベルＬｖＳ１を示す画像信号ＶLAとなり、画像信号ＶLBに対応して指定信号生成部５１６に入力される画像信号ＶLinは、指定階調レベルＬｖＳ１を示す画像信号ＶLBになる。すなわち、当該非エッジ画素ＰｘHは、フレーム期間Ｆにおいて指定階調レベルＬｖＳ１を表示する。以下では、このような非エッジ画素ＰｘHを、単位画素ＰｘA（「第１画素」の一例）と称する。
【００６９】
また、画像信号ＶLAの指定する階調レベルＬｖ１が指定階調レベルＬｖＳ２であり、画像信号ＶLBの指定する階調レベルＬｖ２が指定階調レベルＬｖＳ２である単位画素Ｐｘは、非エッジ画素ＰｘHである。そして、当該非エッジ画素ＰｘHに関して、画像信号ＶLAに対応して指定信号生成部５１６に入力される画像信号ＶLinは、指定階調レベルＬｖＳ２を示す画像信号ＶLAとなり、画像信号ＶLBに対応して指定信号生成部５１６に入力される画像信号ＶLinは、指定階調レベルＬｖＳ２を示す画像信号ＶLBになる。すなわち、当該非エッジ画素ＰｘHは、フレーム期間Ｆにおいて指定階調レベルＬｖＳ２を表示する。以下では、このような非エッジ画素ＰｘHを、単位画素ＰｘB（「第２画素」の一例）と称する。
【００７０】
また、画像信号ＶLAの指定する階調レベルＬｖ１が指定階調レベルＬｖＳ１であり、画像信号ＶLBの指定する階調レベルＬｖ２が指定階調レベルＬｖＳ２である単位画素Ｐｘは、エッジ画素ＰｘKである。そして、当該エッジ画素ＰｘKに関して、画像信号ＶLAに対応して指定信号生成部５１６に入力される画像信号ＶLinは、指定階調レベルＬｖＳ３（例えば「６」）を示す画像信号ＶLaとなり、画像信号ＶLBに対応して指定信号生成部５１６に入力される画像信号ＶLinは、指定階調レベルＬｖＳ４（例えば「０」）を示す画像信号ＶLbになる。すなわち、当該エッジ画素ＰｘKは、単位期間Ｕ１において指定階調レベルＬｖＳ３を表示し、単位期間Ｕ２において指定階調レベルＬｖＳ４を表示する。以下では、このようなエッジ画素ＰｘKを、単位画素ＰｘC（「第３画素」の一例）と称する。
【００７１】
なお、図１４には現れないが、画像信号ＶLAの指定する階調レベルＬｖ１が指定階調レベルＬｖＳ２であり、画像信号ＶLBの指定する階調レベルＬｖ２が指定階調レベルＬｖＳ１である単位画素Ｐｘは、エッジ画素ＰｘKである。そして、当該エッジ画素ＰｘKに関して、画像信号ＶLAに対応して指定信号生成部５１６に入力される画像信号ＶLinは、指定階調レベルＬｖＳ４を示す画像信号ＶLaとなり、画像信号ＶLBに対応して指定信号生成部５１６に入力される画像信号ＶLinは、指定階調レベルＬｖＳ３を示す画像信号ＶLbになる。すなわち、当該エッジ画素ＰｘKは、単位期間Ｕ１において指定階調レベルＬｖＳ４を表示し、単位期間Ｕ２において指定階調レベルＬｖＳ３を表示すべきことが指定される単位画素Ｐｘである。以下では、このようなエッジ画素ＰｘKについても、単位画素ＰｘCと称することとする。
【００７２】
なお、本実施形態において、プロジェクター１の利用者に視認される階調レベルは、フレーム期間Ｆ内において単位画素Ｐｘが表示する階調レベルであるとする。また、本実施形態では、フレーム期間Ｆのうち単位期間Ｕ１において階調レベルＬｖ３が表示され、単位期間Ｕ２において階調レベルＬｖ４が表示される場合、利用者が当該フレーム期間Ｆにおいて視認する階調レベルは、これら２つの階調レベルの、例えば平均の階調レベルであると想定する。
例えば、単位画素Ｐｘが単位期間Ｕ１において階調レベル「６」を表示し、単位期間Ｕ２において階調レベル「０」を表示した場合、これらの単位期間Ｕを含むフレーム期間Ｆにおいて利用者が視認する階調レベルは「３」である。
【００７３】
ここで、本実施形態に係るプロジェクター１により表示される画像を、図１５及び図１６を参照して具体的に説明する。
図１５では、映像信号Ｖｉｎが示す所望画像Ｍｉｎが、エリアＡＤ１（「第１エリア」の一例）及びエリアＡＤ２（「第２エリア」の一例）からなる場合を例示する。エリアＡＤ１は指定階調レベルＬｖＳ１（階調レベル「７」）を表す所望画素Ｐｖからなり、エリアＡＤ２は指定階調レベルＬｖＳ２（階調レベル「１」）を表す所望画素Ｐｖからなる。すなわち、図１５に示す所望画像Ｍｉｎを表す映像信号Ｖｉｎは、エリアＡＤ１においてはＰビットの指定階調レベルＬｖＳ１が表示され、エリアＡＤ２においてはＰビットの指定階調レベルＬｖＳ２が表示されることを表す信号である。
【００７４】
図７では調整後画像Ｍｖの一部を例示した。図１５は所望画像Ｍｉｎの全体の例示である。なお、上述のように、画像信号ＶCは、映像信号Ｖｉｎと同様のＰビットの階調レベルを表すものとする。そのため、本例に係る映像信号Ｖｉｎに基づいて生成される画像信号ＶCHは、図１５に例示する所望画像Ｍｉｎと同様の調整後画像Ｍｖを表すものとみなす。図１５に示す所望画像Ｍｉｎのうち、エリアＡＤ１とエリアＡＤ２の境界ＢＤの両側には、境界画素ＰｖKが配置される。また、所望画像Ｍｉｎのうち、境界画素ＰｖKが配置されていない部分には、非境界画素ＰｖHが配置される。
【００７５】
図１６は、プロジェクター１に対して、図１５に示す所望画像Ｍｉｎを表す映像信号Ｖｉｎが入力された場合に、プロジェクター１の液晶パネル１０に設けられたＭ行×Ｎ列の単位画素Ｐｘが表示する階調レベルを説明するための説明図である。
図１５に示す所望画像ＭｉｎのエリアＡＤ１は、単位領域ＵＲAに対応する４個の所望画素Ｐｖの全てが指定階調レベルＬｖＳ１を示し、かつ、単位領域ＵＲBに対応する４個の所望画素Ｐｖの全てが指定階調レベルＬｖＳ１を示すような、複数の所望画素Ｐｖからなる第１の領域を含む。また、図１５に示す所望画像ＭｉｎのエリアＡＤ２は、単位領域ＵＲAに対応する４個の所望画素Ｐｖの全てが指定階調レベルＬｖＳ２を示し、かつ、単位領域ＵＲBに対応する４個の所望画素Ｐｖの全てが指定階調レベルＬｖＳ２を示すような、複数の所望画素Ｐｖからなる第２の領域を含む。また、図１５に示す所望画像Ｍｉｎの境界ＢＤを含む領域は、単位領域ＵＲAに対応する４個の所望画素Ｐｖが、指定階調レベルＬｖＳ１を示す所望画素Ｐｖと、指定階調レベルＬｖＳ２を示す所望画素Ｐｖとを含み、かつ、単位領域ＵＲBに対応する４個の所望画素Ｐｖが、指定階調レベルＬｖＳ１を示す所望画素Ｐｖと、指定階調レベルＬｖＳ２を示す所望画素Ｐｖとを含むような、複数の所望画素Ｐｖからなる第３の領域を含む。
【００７６】
したがって、プロジェクター１に対して、図１５に示す所望画像Ｍｉｎを表す映像信号Ｖｉｎが入力された場合、当該プロジェクター１が備える複数の単位画素Ｐｘには、少なくとも、第１の領域に対応し、Ｐビットの指定階調レベルＬｖＳ１を表示する単位画素ＰｘAと、第２の領域に対応し、Ｐビットの指定階調レベルＬｖＳ２を表示する単位画素ＰｘBと、第３の領域に対応し、Ｑビットの指定階調レベルＬｖＳ３及び指定階調レベルＬｖＳ４を表示する単位画素ＰｘCと、が含まれることになる。
【００７７】
次に、図１５に示す所望画像Ｍｉｎを表す映像信号Ｖｉｎがプロジェクター１に入力された場合の出力を、プロジェクター１の単位画素Ｐｘが有する液晶素子ＣＬの相対透過率の変化の観点から説明する。図１７から図２０は、単位画素Ｐｘが階調レベルを表示する際の、当該単位画素Ｐｘの液晶素子ＣＬの相対透過率の変化（以下、「透過率変化」と称する）の例を、当該階調レベルに対応するＳＦコードＣｄと共に示す。
【００７８】
以下では、説明の便宜上、上述の単位画素ＰｘA、単位画素ＰｘB、及び単位画素ＰｘCの各々が有する液晶素子ＣＬを、それぞれ液晶素子ＣＬA、液晶素子ＣＬB、及び液晶素子ＣＬCと称する。
液晶素子ＣＬAの、単位期間Ｕ１及び単位期間Ｕ２にわたる（すなわち、フレーム期間Ｆにおける）透過率の変化は、単位画素ＰｘAが指定階調レベルＬｖＳ１を表示する際の透過率変化を示す。図１７は、単位画素ＰｘAがフレーム期間Ｆにおいて指定階調レベルＬｖＳ１（階調レベル「７」）を表示する際に、液晶素子ＣＬAが当該フレーム期間Ｆにおいて示す透過率変化の例である。また、液晶素子ＣＬBの、フレーム期間Ｆにおける透過率の変化は、単位画素ＰｘBが指定階調レベルＬｖＳ２を表示する際の透過率変化を示す。図１８は、単位画素ＰｘBがフレーム期間Ｆにおいて指定階調レベルＬｖＳ２（階調レベル「１」）を表示する際に、液晶素子ＣＬBが当該フレーム期間Ｆにおいて示す透過率変化の例である。図１７及び図１８に例示するように、Ｐビットの指定階調レベルＬｖＳ１（階調レベル「７」）及び指定階調レベルＬｖＳ２（階調レベル「１」）は、２α（８個）のサブフィールド期間ｓｆにより表現可能な階調レベルである。換言すると、指定階調レベルＬｖＳ１及び指定階調レベルＬｖＳ２は、α個（４個）のサブフィールド期間ｓｆにより表現可能な階調レベルではない。
【００７９】
一方で、液晶素子ＣＬCの、単位期間Ｕ１における透過率の変化は、単位画素ＰｘCが指定階調レベルＬｖＳ３を表示する際の透過率変化を示し、単位期間Ｕ２における透過率の変化は、単位画素ＰｘCが指定階調レベルＬｖＳ４を表示する際の透過率変化を示す。図１９は、単位画素ＰｘCが単位期間Ｕ１において指定階調レベルＬｖＳ３（階調レベル「６」）を表示する際に、液晶素子ＣＬCが当該単位期間Ｕ１において示す透過率変化の例である。図２０は、単位画素ＰｘCが単位期間Ｕ２において指定階調レベルＬｖＳ４（階調レベル「０」）を表示する際に、液晶素子ＣＬCが当該単位期間Ｕ２において示す透過率変化の例である。図１９及び図２０に例示するように、Ｑビットの指定階調レベルＬｖＳ３（階調レベル「６」）及び指定階調レベルＬｖＳ４（階調レベル「０」）は、α個（４個）のサブフィールド期間ｓｆにより表現可能な階調レベルである。
【００８０】
以上に説明したように、本実施形態では、非エッジ画素ＰｘHである単位画素ＰｘA及び単位画素ＰｘBは、フレーム期間ＦにおいてＰビットの指定階調レベルＬｖＳ１または指定階調レベルＬｖＳ２を表示し、エッジ画素ＰｘKである単位画素ＰｘCは、単位期間ＵにおいてＱビットの指定階調レベルＬｖＳ３及び指定階調レベルＬｖＳ４を表示する。Ｐビットの階調レベルは２α個のサブフィールド期間ｓｆにより表現可能な階調レベルであり、Ｑビットの階調レベルはα個のサブフィールド期間ｓｆにより表現可能な階調レベルである。そのため、本実施形態に係るプロジェクター１に対して、図１５に示す所望画像Ｍｉｎを表す映像信号Ｖｉｎが入力された場合、２α個のサブフィールド期間ｓｆにわたる液晶素子ＣＬの透過率変化（図１７及び図１８の例示）と、α個のサブフィールド期間ｓｆにわたる液晶素子ＣＬの透過率変化（図１９及び図２０の例示）と、の両方が観測される。
【００８１】
以下では、エッジ画素ＰｘKについてはα個のサブフィールド期間ｓｆにより表現可能な階調レベルを表示させ、非エッジ画素ＰｘHについては、エッジ画素ＰｘKよりも多い２α個のサブフィールド期間ｓｆにより表現可能な階調レベルを表示させることの意義を、単位画素Ｐｘがエッジ画素ＰｘKであるか否かにかかわらず、α個のサブフィールド期間ｓｆにより表現可能な階調レベルのみを表示させる対比例を用いて説明する。
【００８２】
図２１は、対比例に係るプロジェクター（プロジェクター１ｂと称する）が備える画像処理部（画像処理部１１ｂと称する）の構成を示すブロック図である。以下において、画像処理部１１ｂが有する構成要素のうち、本実施形態に係る構成要素と同様の構成要素については、本実施形態と同様の符号を用い、適宜説明を割愛する。なお、本対比例では、プロジェクター１ｂが画素ずらし処理を実行する場合（解像度変換部５１３に入力される信号が画像信号ＶCHである場合）を想定する。
【００８３】
画像処理部１１ｂは、本実施形態と同様の、画質調整部５１１、解像度判別部５１２、及び解像度変換部５１３を有する。一方で、図２１に示すように、対比例に係る画像処理部１１ｂは、判定部５１４を有さない。すなわち、対比例に係るプロジェクター１ｂでは、図１２のステップS4における判定（単位画素Ｐｘがエッジ画素ＰｘKであるか否かの判定）が実行されない。
なお、以上のように、本対比例においては単位画素Ｐｘがエッジ画素ＰｘKであるか否かが判定されないが、本実施形態と対比例との相違点を説明するため、本対比例においてもエッジ画素ＰｘKと非エッジ画素ＰｘHとを区別して説明する。
【００８４】
図２１に示すように、解像度変換部５１３からの画像信号ＶLoutは、判定部５１４に代えて、階調変換部５１５に入力される。指定信号生成部５１６ｂは、エッジ画素ＰｘKか非エッジ画素ＰｘHかにかかわらず、各単位画素Ｐｘについて、画像信号ＶLaまたは画像信号ＶLbに基づき指定信号Ｄを生成する。すなわち、対比例における単位画素Ｐｘは、α個（４個）のサブフィールド期間ｓｆにより表現可能な階調レベルのみを表示する。
【００８５】
図２２は、対比例において、エッジ画素ＰｘK及び非エッジ画素ＰｘHが表示する階調レベルを説明するための図である。図２２に示す例は、エッジ画素ＰｘKが、画像信号ＶLaが指定する階調レベルＬｖ３を単位期間Ｕ１において表示し、画像信号ＶLbが指定する階調レベルＬｖ４を単位期間Ｕ２において表示する点において、図１３に示す本実施形態に係る例と同様である。一方で、非エッジ画素ＰｘHが、エッジ画素ＰｘKと同様に、階調レベルＬｖ３を単位期間Ｕ１において表示し、階調レベルＬｖ４を単位期間Ｕ２において表示する点において、図２２に示す例と図１３に示す例とは相違する。
【００８６】
次に、図２３を参照して、エッジ画素ＰｘK及び非エッジ画素ＰｘHに対応する画像信号ＶLout及び画像信号ＶLinについて説明する。
図２３は、対比例に係るプロジェクター１ｂに入力される映像信号Ｖｉｎに基づいて生成される画像信号ＶCが画像信号ＶCHである場合に、領域ＡＡに含まれる３６個の所望画素Ｐｖの示す階調レベルに基づいて生成された９個の画像信号ＶLA（信号群Ｇｔ１）と、当該９個の画像信号ＶLAに対応して指定信号生成部５１６ｂに入力される、９個の画像信号ＶLin（以下、信号群Ｇｉ１ｂと称する場合がある）と、領域ＢＢに含まれる３６個の所望画素Ｐｖの示す階調レベルに基づいて生成された９個の画像信号ＶLB（信号群Ｇｔ２）と、当該９個の画像信号ＶLBに対応して指定信号生成部５１６ｂに入力される、９個の画像信号ＶLin（以下、信号群Ｇｉ２ｂと称する場合がある）と、の関係を示す説明図である。
なお、図２３においても、図１４と同様に、対比例に係るプロジェクター１ｂに対して入力される映像信号Ｖｉｎ及び画像信号ＶCの示す階調レベルＬｖｉｎが、指定階調レベルＬｖＳ１（例えば「７」）または指定階調レベルＬｖＳ２（例えば「１」）であり、画像信号ＶLA及び画像信号ＶLBの示す階調レベルも、指定階調レベルＬｖＳ１または指定階調レベルＬｖＳ２である場合を想定する。
【００８７】
図２３に示すように、画像信号ＶLAの指定する階調レベルＬｖ１が指定階調レベルＬｖＳ１であり、画像信号ＶLBの指定する階調レベルＬｖ２が指定階調レベルＬｖＳ１である非エッジ画素ＰｘHに関して、画像信号ＶLAに対応して指定信号生成部５１６ｂに入力される画像信号ＶLinは、指定階調レベルＬｖＳ３を示す画像信号ＶLaとなり、画像信号ＶLBに対応して指定信号生成部５１６ｂに入力される画像信号ＶLinは、指定階調レベルＬｖＳ３を示す画像信号ＶLbになる。すなわち、当該非エッジ画素ＰｘHは、単位期間Ｕ１において指定階調レベルＬｖＳ３を表示し、単位期間Ｕ２において指定階調レベルＬｖＳ３を表示する。
また、画像信号ＶLAの指定する階調レベルＬｖ１が指定階調レベルＬｖＳ２であり、画像信号ＶLBの指定する階調レベルＬｖ２が指定階調レベルＬｖＳ２である非エッジ画素ＰｘHに関して、画像信号ＶLAに対応して指定信号生成部５１６ｂに入力される画像信号ＶLinは、指定階調レベルＬｖＳ４を示す画像信号ＶLaとなり、画像信号ＶLBに対応して指定信号生成部５１６ｂに入力される画像信号ＶLinは、指定階調レベルＬｖＳ４を示す画像信号ＶLbになる。すなわち、当該非エッジ画素ＰｘHは、単位期間Ｕ１において指定階調レベルＬｖＳ４を表示し、単位期間Ｕ２において指定階調レベルＬｖＳ４を表示する。
【００８８】
このように、対比例に係るプロジェクター１ｂが備える複数の単位画素Ｐｘには、単位画素ＰｘA及び単位画素ＰｘBが含まれない。すなわち、対比例においては、単位画素Ｐｘがエッジ画素ＰｘKか非エッジ画素ＰｘHかにかかわらず、単位期間Ｕ１については画像信号ＶLaが画像信号ＶLinとして用いられ、単位期間Ｕ２については画像信号ＶLbが画像信号ＶLinとして用いられる。結果として、図２２を参照して説明したように、エッジ画素ＰｘK及び非エッジ画素ＰｘHの両方が、単位期間Ｕ１において階調レベルＬｖ３を表示し、単位期間Ｕ２において階調レベルＬｖ４を表示する。換言すると、対比例に係るプロジェクター１ｂが備える単位画素Ｐｘは、入力された映像信号Ｖｉｎが表すＰビット（３ビット）の階調レベル（指定階調レベルＬｖＳ１及び指定階調レベルＬｖＳ２）を表示できず、Ｑビットの階調レベルのみ表示可能である。つまり、対比例に係るプロジェクター１ｂは、映像信号Ｖｉｎが表す階調レベルを表示しないこととなり、上述した実施形態に係るプロジェクター１と比較して、表示する画像の画質が低下する。
【００８９】
１．４．本実施形態の結論
以上のように、本実施形態に係るプロジェクター１において、非エッジ画素ＰｘHは、２α個のサブフィールド期間ｓｆ（フレーム期間Ｆ）において表現可能な階調レベルを表示し、エッジ画素ＰｘKは、α個のサブフィールド期間ｓｆ（単位期間Ｕ）において表現可能な階調レベルを表示する。一方で、対比例に係るプロジェクター１ｂにおいては、全ての単位画素Ｐｘが、α個のサブフィールド期間ｓｆ（単位期間Ｕ）において表現可能な階調レベルを表示する。そのため、対比例と比較して、本実施形態においては、単位画素Ｐｘが表現可能な階調レベル数の減少を抑制することができる。結果として、より細かな階調表現が可能となるため、本実施形態に係るプロジェクター１が表示する画像（投射面８０に投射される画像）の、階調表現に係る品質の低下を抑制することができる。換言すると、本実施形態によれば、非エッジ画素ＰｘHにおいて、映像信号Ｖｉｎが表す階調レベルを低階調化することなく表示することができる。これにより、画素ずらし処理による解像度の擬似的な向上と、高階調な階調表現との両立を図ることが可能となる。
【００９０】
また、本実施形態において、第１指定情報ＩＦ１と第２指定情報ＩＦ２とが別々のルックアップテーブルＬＴに格納される。そして、指定信号生成部５１６は、単位画素Ｐｘがエッジ画素ＰｘKか非エッジ画素ＰｘHかに応じてルックアップテーブルＬＴを参照し、いずれかの指定情報ＩＦを用いて指定信号Ｄを生成する。このため、例えば第１指定情報ＩＦ１と第２指定情報ＩＦ２とが同じルックアップテーブルＬＴに格納され、指定信号生成部５１６が第１指定情報ＩＦ１及び第２指定情報ＩＦ２を用いて指定信号Ｄを生成する場合と比較して、参照対象のＳＦコードＣｄを検索する際の処理時間が低減され得る。
【００９１】
２．変形例
以上の形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００９２】
２．１．変形例１
上述した実施形態において、図７〜図９を参照して説明した画像信号ＶCHの低解像度化処理は一例であり、他の低解像度化処理が用いられてもよい。具体的に、実施形態においては、図８における各単位領域ＵＲに対応する４個の所望画素Ｐｖのうち、ｘの値が最も小さく、かつ、ｙの値が最も大きい座標に対応する所望画素Ｐｖが表す階調レベルを、当該単位領域ＵＲに対応する画像信号（ＶLAまたはＶLB）が指定する階調レベル（以下、「当該単位領域ＵＲに対応する階調レベル」と表現する）として採用する例を説明した。しかし、各単位領域ＵＲに対応する４個の所望画素Ｐｖが表す４つの階調レベルに基づいて定められた階調レベルであれば、実施形態とは別の階調レベルが当該単位領域ＵＲに対応する階調レベルとして採用されてもよい。
【００９３】
図２４から図２６は、低解像度化処理の変形例を説明するための図である。図２４から図２６の各々は、領域ＡＡの９個の単位領域ＵＲA及び領域ＢＢの９個の単位領域ＵＲBに対応する９個の単位画素Ｐｘが、単位期間Ｕ１において表示すべき階調レベルＬｖ１と、単位期間Ｕ２において表示すべき階調レベルＬｖ２との例を示す図である。なお、図２４から図２６においては、実施形態と同様に、図８における単位領域ＵＲAｘ（所望画素Ｐｖａ（３，４）、所望画素Ｐｖａ（４，４）、所望画素Ｐｖａ（３，３）、及び所望画素Ｐｖａ（４，３）に対応する単位領域ＵＲA）を例にとって説明する。図８に示すように、単位領域ＵＲAｘに含まれる４個の所望画素Ｐｖは、４つの階調レベル「７」，「７」，「７」，及び「１」を表す。
【００９４】
本変形例では、例えば、図２４に示すように、図８における各単位領域ＵＲに対応する４つの階調レベルの平均値を、当該単位領域ＵＲに対応する階調レベルとして採用してもよい。図８の単位領域ＵＲAｘは、図２４における単位画素Ｐｘ（２，２）に対応する。図８に示す単位領域ＵＲAｘに対応する４個の所望画素Ｐｖの階調レベル「７」，「７」，「７」，及び「１」の平均は「６」である。このため、図２４に示すように、階調レベル「６」が、図２４における所望画素Ｐｖ（２，２）の階調レベルとして採用される。
【００９５】
また、本変形例では、図２５に示すように、図８における各単位領域ＵＲに対応する４つの階調レベルの最大値を、当該単位領域ＵＲに対応する階調レベルとして採用してもよい。図８に示す単位領域ＵＲAｘに対応する４個の所望画素Ｐｖの階調レベルの最大値は「７」である。このため、図２５に示すように、階調レベル「７」が、図２５における所望画素Ｐｖ（２，２）の階調レベルとして採用される。
【００９６】
また、本変形例では、図２６に示すように、図８における各単位領域ＵＲに対応する４つの階調レベルの最小値を、当該単位領域ＵＲに対応する階調レベルとして採用してもよい。図８に示す単位領域ＵＲAｘに対応する４個の所望画素Ｐｖの階調レベルの最小値は「１」である。このため、図２６に示すように、階調レベル「１」が、図２６における所望画素Ｐｖ（２，２）の階調レベルとして採用される。
【００９７】
２．２．変形例２
上述した実施形態において、フレーム期間Ｆは２つの単位期間Ｕを含む。しかし、フレーム期間Ｆは３つ以上の単位期間Ｕを含んでもよい。また、フレーム期間Ｆは、複数の単位期間Ｕに加え、単位画素Ｐｘが表示をしない（または、単位画素Ｐｘがオフされる）リセット期間を含んでもよい。
【００９８】
また、上述した実施形態に係る画素ずらし処理では、光が投射される領域を投射面８０上で＋ｘ方向及び−ｙ方向に移動させたが、本発明はこのような態様に限定されるものではなく、光が投射される領域を、例えば−ｘ方向及び−ｙ方向に移動させてもよいし、−ｘ方向及び＋ｙ方向に移動させてもよい。
【００９９】
例えば、フレーム期間Ｆに４つの単位期間Ｕ（Ｕ１，Ｕ２，Ｕ３，及びＵ４）が含まれる構成を想定する。この構成において、プロジェクター１は、投射面８０上において、単位期間Ｕごとに異なる領域に光を投射することにより、画素ずらし処理を行ってもよい。
例えば、プロジェクター１は、単位期間Ｕ１において、単位領域ＵＲAに光を投射し、単位期間Ｕ１に後続する単位期間Ｕ２において、単位領域ＵＲAを＋ｘ方向に移動させた単位領域ＵＲCに光を投射し、単位期間Ｕ２に後続する単位期間Ｕ３において、単位領域ＵＲCを−ｙ方向に移動させた単位領域ＵＲDに光を投射し、単位期間Ｕ３に後続する単位期間Ｕ４において、単位領域ＵＲDを−ｘ方向に移動させた単位領域ＵＲEに光を投射し、その後、プロジェクター１は、単位領域ＵＲEを＋ｙ方向に移動させた単位領域ＵＲAに、光を投射してもよい。
【０１００】
２．３．変形例３
上述した実施形態において、閾値ＴＨは「０」である場合を例示して説明した。しかし、閾値ＴＨは「０」より大きな値であってよい。例えば、閾値ＴＨの値は、利用者が視認できる階調レベル差の値未満となるように定められてもよい。
【０１０１】
また、上述した実施形態においては、階調レベルＬｖ１と階調レベルＬｖ２との差が閾値ＴＨ以下である場合（図１２においてS4:NOの場合）に、指定信号生成部５１６が、フレーム期間Ｆにおいて、画像信号ＶLAが指定する階調レベルＬｖ１または画像信号ＶLBが指定する階調レベルＬｖ２を単位画素Ｐｘに表示させる指定信号Ｄを生成する場合を例示して説明した。しかし、本発明はこのような態様に限定されるものではない。階調レベルＬｖ１と階調レベルＬｖ２との差が閾値ＴＨ以下である場合において指定信号生成部５１６が生成する指定信号Ｄは、階調レベルＬｖ１及び階調レベルＬｖ２の少なくとも一方に基づくＰビットの階調レベルを、フレーム期間Ｆにおいて単位画素Ｐｘに表示させるものであればよい。ここで、階調レベルＬｖ１及び階調レベルＬｖ２の少なくとも一方に基づく階調レベルとは、階調レベルＬｖ１及び階調レベルＬｖ２により規定される範囲に含まれる階調レベル（階調レベルＬｖＭと称する。「表示階調レベル」の一例）である。階調レベルＬｖ１及び階調レベルＬｖ２により規定される範囲に含まれるＰビットの階調レベルＬｖＭとは、例えば、階調レベルＬｖ１及び階調レベルＬｖ２のうち、低い方の階調レベル以上であって、高い方の階調レベル以下である階調レベルである。
例えば、階調レベルＬｖ１が「７」であり、階調レベルＬｖ２が「３」である場合を想定する。この例において、階調レベルＬｖＭは、階調レベル「３」以上であって階調レベル「７」以下の階調レベルである。具体的に、階調レベルＬｖＭは、階調レベル「７」及び階調レベル「３」の平均値である階調レベル「５」でもよいし、階調レベルＬｖ１により近くなるよう重み付けされた階調レベル「６」でもよいし、階調レベルＬｖ２により近くなるよう重み付けされた階調レベル「４」であってもよい。また、階調レベルＬｖＭは、階調レベルＬｖ１及び階調レベルＬｖ２により規定される範囲に含まれる最小の階調レベル「３」であってもよいし、最大の階調レベル「７」であってもよい。
【０１０２】
図２７を参照して、本変形例に係る画像処理部１１における処理の流れを説明する。なお、図２７に示すフローチャートは、ステップS4における判定の結果が否定である場合に、ステップS9に代えて、ステップS12及びS13が実行される点を除き、図１２に示すフローチャートと同様である。
ステップS4における判定の結果が否定の場合（S4:NO）、階調変換部５１５は、階調レベルＬｖ１を指定する画像信号ＶLA及び階調レベルＬｖ２を指定する画像信号ＶLBの少なくとも一方に基づき、階調レベルＬｖＭを指定する画像信号ＶLMを生成する（S12）。指定信号生成部５１６は、画像信号ＶLMとルックアップテーブルＬＴ２に記憶された指定情報ＩＦ２とに基づいて、指定信号Ｄを生成する（S13）。この場合の指定信号Ｄは、フレーム期間において、画像信号ＶLMが指定するＰビットの階調レベルＬｖＭを単位画素Ｐｘに表示させる信号である。なお、本変形例では、ステップS12の処理が階調変換部５１５により実行される場合を例示して説明したが、画像処理部１１に含まれる階調変換部５１５以外の構成要素により実行されてもよい。
【０１０３】
２．４．変形例４
上述した実施形態においては、基準値ＴＬが「０」である場合を例示して説明したが、基準値ＴＬは「０」より大きな値であってよい。
【０１０４】
２．５．変形例５
上述した実施形態及び変形例において、液晶４３はＶＡ方式であるが、ＴＮ（Twisted Nematic）方式であってもよい。すなわち、プロジェクター１は、画素電極４１及び共通電極４２の間に電圧が印加されていない状態において単位画素Ｐｘが白表示（液晶素子ＣＬの相対透過率が１００％）となるノーマリーホワイトモードで動作するものであってもよい。
【符号の説明】
【０１０５】
１…プロジェクター、１０（１０Ｒ,１０Ｇ,１０Ｂ）…液晶パネル、１１…画像処理部、１２…タイミング信号生成部、１４…光路シフト素子駆動部、２２…走査線駆動回路、２４…データ線駆動回路、５０…制御部、８０…投射面、１００…光路シフト素子、５１４…判定部、５１６…指定信号生成部、Ｃｄ（Ｃｄｓ、Ｃｄｌ）…ＳＦコード、ＣＬ…液晶素子、Ｄ…指定信号、Ｆ…フレーム期間、ＬＴ（ＬＴ１，ＬＴ２）…ルックアップテーブル、Ｌｖ１，Ｌｖ２，Ｌｖ３，Ｌｖ４…階調レベル、ＬｖＳ１，ＬｖＳ２，ＬｖＳ３，ＬｖＳ４…指定階調レベル、Ｍｉｎ…所望画像、Ｍｖ…調整後画像、Ｐｖ…所望画素、Ｐｘ…単位画素、ｓｆ…サブフィールド期間、ＴＬ…基準値、ＴＨ…閾値、Ｕ（Ｕ１、Ｕ２）…単位期間、Ｖｉｎ…映像信号。
【図１】
2019008025.tif 000003
【図２】
2019008025.tif 000004
【図３】
2019008025.tif 000005
【図４】
2019008025.tif 000006
【図５】
2019008025.tif 000007
【図６】
2019008025.tif 000008
【図７】
2019008025.tif 000009
【図８】
2019008025.tif 000010
【図９】
2019008025.tif 000011
【図１０】
2019008025.tif 000012
【図１１】
2019008025.tif 000013
【図１２】
2019008025.tif 000014
【図１３】
2019008025.tif 000015
【図１４】
2019008025.tif 000016
【図１５】
2019008025.tif 000017
【図１６】
2019008025.tif 000018
【図１７】
2019008025.tif 000019
【図１８】
2019008025.tif 000020
【図１９】
2019008025.tif 000021
【図２０】
2019008025.tif 000022
【図２１】
2019008025.tif 000023
【図２２】
2019008025.tif 000024
【図２３】
2019008025.tif 000025
【図２４】
2019008025.tif 000026
【図２５】
2019008025.tif 000027
【図２６】
2019008025.tif 000028
【図２７】
2019008025.tif 000029